(57)【要約】【課題】遊技球の発射効率を高めることができる遊技機を提供する。【解決手段】パチンコ機の前扉枠には遊技球発射ハンドルが設けられており、パチンコ機の内枠には同遊技球発射ハンドルが操作されることにより遊技領域に対して遊技球を発射する遊技球発射装置が設けられている。遊技球発射装置は、直線往復動が可能な可動体１６０と、通電されることにより磁界を形成する励磁コイル１７１と、その可動体１６０が挿通されるとともに励磁コイル１７１が巻きつけられたボビン１８１と、同可動体１６０の移動方向を規定する規定部２１０，２３０と、それら各種構成が搭載されたハウジング２５０とを備えている。それら規定部２１０，２３０は、ボビン１８１に形成された設置部１８７，１８８に設置されているとともに、ボビン１８１及びハウジング２５０によって挟まれた状態で保持されている。【選択図】      図１０
2010082311.tif 000002
【特許請求の範囲】
【請求項１】
直線往復動が可能な可動体と、
通電されることにより磁界を形成し、前記可動体に動力を与えるコイル、及び前記可動体が挿通される挿通部を有し、その挿通部の外周に前記コイルが巻かれている本体を備えた駆動部と、
前記駆動部の外側に設けられ、同駆動部が取り付けられているハウジングと、
前記本体に設けられているとともに、前記可動体に対して当接するように形成されており、同可動体の移動方向を規定する規定部と
を備えていることを特徴とする遊技機。
【請求項２】
直線往復動が可能な可動体と、
通電されることにより磁界を形成し、前記可動体に動力を与えるコイル、及び前記可動体が挿通される挿通部を有し、その挿通部の外周に前記コイルが巻かれている本体を備えた駆動部と、
前記駆動部の外側に設けられ、同駆動部が取り付けられているハウジングと、
前記可動体に対して当接するように形成されており、同可動体の移動方向を規定する規定部と
を備え、
前記規定部は、前記本体に対して一体化させて設けられているとともに、その一体化させている箇所において前記本体との間に前記ハウジングが介在しないように設けられていることを特徴とする遊技機。
【請求項３】
前記規定部は、前記本体とは別体で設けられており、
前記本体には、前記規定部を設置する設置部が設けられ、
前記設置部に設置された前記規定部は、前記ハウジングと前記駆動部とが一体化されることに基づいて、前記設置部からの移動が不可となるように構成されていることを特徴とする請求項１又は請求項２に記載の遊技機。
【請求項４】
前記規定部は、前記本体及び前記ハウジングに対して別体で設けられているとともに、前記挿通部の軸線方向において前記本体を挟んだ両側にそれぞれ個別に配置されており、
前記ハウジングは、前記挿通部の軸線方向において前記本体を両側から挟むように設けられており、
前記各規定部は、前記本体と前記ハウジングとによって挟まれた状態で保持されていることを特徴とする請求項１乃至請求項３のいずれか１つに記載の遊技機。
【発明の詳細な説明】
【技術分野】
【０００１】
本発明は、遊技機に関するものである。
【背景技術】
【０００２】
遊技機の一種である弾球遊技機は、例えば、遊技者が操作する操作ハンドルと、その操作ハンドルの操作に基づいて遊技球を弾いて発射する遊技球発射装置と、その発射された遊技球を所定の遊技領域に導く球通路と、遊技領域内に配置された各遊技部品とを備える。遊技球発射装置としては、例えば、コイルに電力を与えることにより電磁的な吸引力を発生させ、これにより可動体を直線往復動させて遊技球を発射させるようにした直線駆動式の構成を有するものが知られている（例えば、特許文献１）。
【特許文献１】特開２０００−２７１２７５号公報
【発明の開示】
【発明が解決しようとする課題】
【０００３】
上述した直線駆動式の遊技球発射装置では、可動体の外周に対して接触する軸受け等を備えたものがある。軸受けを採用することにより、可動体が往復動する際の同可動体のぶれを抑制し、遊技球発射装置における発射精度のばらつきの低減や、動特寿命の延長が実現されている。
【０００４】
しかしながら、上述したような軸受けを採用した構成においては、構成部品の増加や取付構造の煩雑化等に起因して以下の不都合が生じると想定される。つまり、寸法公差等の累積によりコイルの中心軸線と可動体の中心軸線との位置ばらつき（例えば芯ずれや傾き等）が生じ、上述した吸引力によって可動体が当該可動体の中心軸線と交差する方向に引き寄せられることが懸念される。このような吸引力の作用は、消費電力のロス等の要因となり、発射効率の悪化等を招来し得るため好ましくない。
【０００５】
本発明は、上記例示した事情等に鑑みてなされたものであり、遊技球の発射効率を高めることのできる遊技機を提供することを目的とするものである。
【課題を解決するための手段】
【０００６】
以下、上記課題を解決するための手段について記載する。
【０００７】
請求項１記載の発明は、直線往復動が可能な可動体と、通電されることにより磁界を形成し、前記可動体に動力を与えるコイル、及び前記可動体が挿通される挿通部を有し、その挿通部の外周に前記コイルが巻かれている本体を備えた駆動部と、前記駆動部の外側に設けられ、同駆動部が取り付けられているハウジングと、前記本体に設けられているとともに、前記可動体に対して当接するように形成されており、同可動体の移動方向を規定する規定部とを備えていることを特徴とする。
【発明の効果】
【０００８】
遊技球の発射効率を高めることができる。
【発明を実施するための最良の形態】
【０００９】
以下、遊技機の一種であるパチンコ遊技機（以下、「パチンコ機」という）の一実施の形態を、図面に基づいて詳細に説明する。図１はパチンコ機１０を前方から見た斜視図、図２はパチンコ機１０を主要な構成ごとに分解して示す分解斜視図である。なお、図２では便宜上パチンコ機１０の遊技領域内の構成を省略している。
【００１０】
パチンコ機１０は、当該パチンコ機１０の外殻を形成する外枠１１と、この外枠１１に対して前方に回動可能（開閉可能）に取り付けられた遊技機本体１２とを有している。なお、パチンコ機１０において外枠１１は必須の構成ではなく、遊技場の島設備に外枠１１が備え付けられた構成としてもよい。
【００１１】
外枠１１は、矩形枠状をなしており、上下の枠が木製であり、左右の枠がアルミニウム等の金属によって形成されている。パチンコ機１０は、外枠１１を島設備に取り付け固定することにより、遊技場に設置される。なお、外枠１１を形成する材料は上記のものに限定されることはなく任意である。
【００１２】
外枠１１の一側部に遊技機本体１２が回動可能に支持されている。具体的には、図１に示すように、外枠１１における上枠部と左枠部との連結部分に上側支持用金具２１が固定されており、さらに外枠１１における下枠部と左枠部との連結部分に下側支持用金具２２が設けられている。これら上側支持用金具２１及び下側支持用金具２２により支持機構が構成され、当該支持機構によって外枠１１に対して遊技機本体１２が回動可能に支持されている。
【００１３】
また、遊技機本体１２には、図２に示すように、その回動先端部に施錠装置２３が設けられており、遊技機本体１２を外枠１１に対して閉鎖状態とした場合には施錠装置２３の鉤部材２４が外枠１１の右枠部の内側面に設けられた鉤受け部にて受けられ、遊技機本体１２の開放が阻止される。一方、パチンコ機１０前面にて露出させて設けられたシリンダ錠２５に対して解錠キーを用いて解錠操作を行うことにより、外枠１１の鉤受け部にて鉤部材２４が受けられた状態が解除され、遊技機本体１２の外枠１１からの開放が可能となる。なお、施錠装置２３は、後述する内枠１３と前扉枠１４との施錠を行う機能も有している。
【００１４】
遊技機本体１２は、ベース体としての内枠１３と、その内枠１３の前方に配置される前扉枠１４と、内枠１３の後方に配置される裏パックユニット１５とを備えている。遊技機本体１２のうち内枠１３が外枠１１に対して回動可能（開閉可能）に支持されている。詳細には、正面視で左側を回動基端側（開閉基端側）とし右側を回動先端側（開閉先端側）として内枠１３が前方へ回動可能とされている。
【００１５】
内枠１３には、前扉枠１４が回動可能（開閉可能）に支持されており、正面視で左側を回動基端側（開閉基端側）とし右側を回動先端側（開閉先端側）として前方へ回動可能とされている。また、内枠１３には、裏パックユニット１５が回動可能（開閉可能）に支持されており、正面視で左側を回動基端側（開閉基端側）とし右側を回動先端側（開閉先端側）として後方へ回動可能とされている。
【００１６】
次に、遊技機本体１２の前面側の構成について説明する。図３は内枠１３の正面図である。
【００１７】
内枠１３は、外形が外枠１１とほぼ同一形状をなす樹脂ベース３１を主体に構成されている。樹脂ベース３１の中央部には略楕円形状の窓孔３２が形成されている。樹脂ベース３１には遊技盤３３が着脱可能に取り付けられている。遊技盤３３は合板よりなり、遊技盤３３の前面に形成された遊技領域３３ａが樹脂ベース３１の窓孔３２を通じて内枠１３の前面側に露出した状態となっている。
【００１８】
ここで、遊技盤３３の構成を図４に基づいて説明する。遊技盤３３には、ルータ加工が施されることによって前後方向に貫通する大小複数の開口部が形成されている。各開口部には一般入賞口３４，可変入賞装置３５，作動口３６，スルーゲート３７及び可変表示ユニット３８等がそれぞれ設けられている。一般入賞口３４は、左右にそれぞれ２個ずつ合計４個設けられている。一般入賞口３４、可変入賞装置３５及び作動口３６に遊技球が入ると、それが後述する検知スイッチにより検知され、その検知結果に基づいて所定数の賞球の払い出しが実行される。その他に、遊技盤３３の最下部にはアウト口３９が設けられており、各種入賞口等に入らなかった遊技球はアウト口３９を通って遊技領域３３ａから排出される。また、遊技盤３３には、遊技球の落下方向を適宜分散、調整等するために多数の釘４０が植設されていると共に、風車等の各種部材（役物）が配設されている。
【００１９】
可変表示ユニット３８には、作動口３６への入賞をトリガとして図柄を可変表示する図柄表示装置４１が設けられている。また、可変表示ユニット３８には、図柄表示装置４１を囲むようにしてセンターフレーム４２が配設されている。センターフレーム４２の上部には、第１特定ランプ部４３及び第２特定ランプ部４４が設けられている。また、センターフレーム４２の下部及び上部にはそれぞれ保留ランプ部４５，４６が設けられている。下側の保留ランプ部４５は図柄表示装置４１及び第１特定ランプ部４３に対応しており、遊技球が作動口３６を通過した回数は最大４回まで保留され保留ランプ部４５の点灯によってその保留個数が表示されるようになっている。上側の保留ランプ部４６は第２特定ランプ部４４に対応しており、遊技球がスルーゲート３７を通過した回数は最大４回まで保留され保留ランプ部４６の点灯によってその保留個数が表示されるようになっている。
【００２０】
図柄表示装置４１は、液晶ディスプレイを備えた液晶表示装置として構成されており、表示制御装置により表示内容が制御される。図柄表示装置４１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００２１】
第１特定ランプ部４３では、作動口３６への入賞をトリガとして所定の順序で発光色の切り替えが行われ、予め定められた色で停止表示された場合には大当たりが発生する。また、第２特定ランプ部４４では、遊技球のスルーゲート３７の通過をトリガとして所定の順序で発光色の切り替えが行われ、予め定められた色で停止表示された場合には作動口３６に付随する電動役物が所定時間だけ開放状態となる。なお、これら第１特定ランプ部４３及び第２特定ランプ部４４の制御は、後述する主制御装置により行われる。
【００２２】
可変入賞装置３５は、通常は遊技球が入賞できない又は入賞し難い閉状態になっており、大当たりの際に遊技球が入賞しやすい所定の開放状態に切り換えられるようになっている。可変入賞装置３５の開放態様としては、所定時間（例えば３０秒間）の経過又は所定個数（例えば１０個）の入賞を１ラウンドとして、複数ラウンド（例えば１５ラウンド）を上限として可変入賞装置３５が繰り返し開放されるものが一般的である。なお、可変入賞装置３５の駆動制御は、後述する主制御装置により行われる。
【００２３】
遊技盤３３には、内レール４７と外レール４８とが取り付けられており、これら内レール４７及び外レール４８により誘導レール４９が構成されている。樹脂ベース３１における窓孔３２の下方には遊技球発射装置１００が設けられており、この遊技球発射装置１００から発射された遊技球は、誘導レール４９によって区画された領域を通過して遊技領域３３ａの上部に案内される（図３参照）。遊技球発射装置１００及びそれに付随する構成に関しての詳細な説明は後述する。
【００２４】
内枠１３の前面側全体を覆うようにして前扉枠１４が設けられている。前扉枠１４には、図１等に示すように、遊技領域３３ａのほぼ全域を前方から視認することができるようにした窓部５５が形成されている。窓部５５は、略楕円形状をなし、透明性を有するガラス５６が嵌め込まれている。窓部５５の周囲には、各種ランプ等の発光手段が設けられている。また、左上及び右上の位置には、遊技状態に応じた効果音などが出力されるスピーカ部が設けられている。
【００２５】
前扉枠１４における窓部５５の下方には、手前側へ膨出した上側膨出部５７と下側膨出部５８とが上下に並設されている。上側膨出部５７内側には上方に開口した上皿５７ａが設けられており、下側膨出部５８内側には同じく上方に開口した下皿５８ａが設けられている。上皿５７ａは、後述する払出装置より払い出された遊技球を一旦貯留し、一列に整列させながら遊技球発射装置１００側へ導くための機能を有する。また、下皿５８ａは、上皿５７ａ内にて余剰となった遊技球を貯留する機能を有する。
【００２６】
下側膨出部５８の右方には、手前側へ突出するようにしてハンドル装置５９が設けられている。ハンドル装置５９が操作されることにより、遊技球発射装置１００から遊技球が発射される。
【００２７】
次に、遊技機本体１２の背面側の構成について説明する。図５は内枠１３の背面図、図６は裏パックユニット１５の正面図である。
【００２８】
図５に示すように、内枠１３（遊技盤３３）の背面には、主制御装置ユニット６１及び音声ランプ制御装置ユニット６５が搭載されている。
【００２９】
主制御装置ユニット６１は、合成樹脂製の取付台を有し、取付台に主制御装置６３が搭載されている。主制御装置６３は、遊技の主たる制御を司る機能（主制御回路）及び電源を監視する機能（停電監視回路）を有する主制御基板と、同主制御基板を収容する基板ボックス６４とを具備している。なお、主制御装置６３の具体的な構成については、後に詳細に説明する。
【００３０】
音声ランプ制御装置ユニット６５は、音声ランプ制御装置６６と、取付台とを具備する構成となっており、取付台上に音声ランプ制御装置６６が装着されている。音声ランプ制御装置６６は、主制御装置６３からの指示に従い音声やランプ表示、及び図示しない表示制御装置の制御を司る音声ランプ制御基板を具備しており、音声ランプ制御基板が透明樹脂材料等よりなる基板ボックス６８に収容されて構成されている。
【００３１】
裏パックユニット１５は、図６に示すように、裏パック７１を備えており、当該裏パック７１に対して、払出機構部７２及び制御装置集合ユニット７３が取り付けられている。裏パック７１は透明性を有する合成樹脂により形成されており、払出機構部７２などが取り付けられるベース部７４と、パチンコ機１０後方に突出し略直方体形状をなす保護カバー部７５とを有する。
【００３２】
ベース部７４には、その右上部に外部端子板７６が設けられている。外部端子板７６には各種の出力端子が設けられており、これらの出力端子を通じて遊技場側の管理制御装置に対して各種信号が出力される。ベース部７４には、保護カバー部７５を迂回するようにして払出機構部７２が配設されている。すなわち、裏パック７１の最上部には上方に開口したタンク７７が設けられており、タンク７７には遊技場の島設備から供給される遊技球が逐次補給される。タンク７７の下方には、下流側に向けて緩やかに傾斜するタンクレールが連結され、タンクレールの下流側には上下方向に延びるケースレールが連結されている。ケースレールの最下流部には払出装置７８が設けられている。払出装置７８より払い出された遊技球は、当該払出装置７８の下流側に設けられた図示しない払出通路を通じて、上皿５７ａ又は下皿５８ａに排出される。
【００３３】
払出機構部７２には、裏パック基板７９が設置されている。裏パック基板７９には、例えば交流２４ボルトの主電源が供給され、電源スイッチの切替操作により電源ＯＮ又は電源ＯＦＦとされるようになっている。
【００３４】
ベース部７４の下端部には、制御装置集合ユニット７３が取り付けられている。制御装置集合ユニット７３は、横長形状をなす取付台８１を有し、取付台８１に払出制御装置８２と電源・発射制御装置８３とが搭載されている。これら払出制御装置８２及び電源・発射制御装置８３は、払出制御装置８２がパチンコ機１０後方となるように前後に重ねて配置されている。
【００３５】
払出制御装置８２は、基板ボックス８４内に払出装置７８を制御する払出制御基板が収容されて構成されている。電源・発射制御装置８３は、基板ボックス８５内に電源・発射制御基板が収容されて構成されており、当該基板により、各種制御装置等で要する所定の電力が生成されて出力され、さらに遊技者によるハンドル装置５９の操作に伴う遊技球の打ち出しの制御が行われる。本パチンコ機１０は各種データの記憶保持機能を有しており、万一停電が発生した際でも停電時の状態を保持し、停電からの復帰の際には停電時の状態に復帰できるようになっている。
【００３６】
次に、図３及び図７に基づき上述した遊技球発射装置１００及びそれに付随する構成について説明する。図７は遊技球発射装置１００及びそれに付随する構成を拡大して示す図３の部分拡大図である。なお、遊技球発射装置１００と関連性の薄いものについては図示を省略している。
【００３７】
図７に示すように、遊技球発射装置１００は、所定位置（発射待機位置）に配された遊技球を打ち出す電磁式のソレノイド１１０と、同ソレノイド１１０によって打ち出された遊技球を誘導レール４９（内レール４７及び外レール４８に挟まれた領域）に案内する発射レール１２０と、前記発射待機位置に遊技球を供給する球送り機構１３０と、それら各種構成が装着されているベースプレート１４０とを備えている。遊技球発射装置１００は、ベースプレート１４０が内枠１３の樹脂ベース３１に対してネジ等の締結具により固定されることにより、遊技機本体１２に対して一体化されている。
【００３８】
発射レール１２０は、所定の発射角度（打ち出し角度）となるように、複数の固定具を用いてベースプレート１４０に固定されている。具体的には、誘導レール４９の入口部分４９ａが遊技機本体１２の回動先端側、詳しくは斜め下方に開放されており、発射レール１２０は、自身のレール方向の延長線上にその入口部分４９ａが位置するように、同入口部分４９ａを向いた状態で配置されている（図３参照）。
【００３９】
発射レール１２０と誘導レール４９の入口部分４９ａとの間には所定の隙間が形成されており、この隙間よりも下方にはファール球通路（図示略）が設けられている。仮にソレノイド１１０によって発射された遊技球が遊技領域３３ａまで至らずファール球として誘導レール４９内を逆戻りする場合には、それらファール球はファール球通路を介して下皿５８ａに排出される。これにより、ファール球の全てがファール球通路に確実に案内され、ファール球と次に発射される遊技球との干渉が抑制される。
【００４０】
発射レール１２０における誘導レール４９と反対側の端部（すなわち下端部）には球送り機構１３０から１つずつ供給される遊技球Ｂを上述した発射待機位置に留める遊技球ストッパ１５０が設けられている。発射レール１２０は、上述の如く遊技機本体１２の回動先端側から回動基端側に向けて上り傾斜するように傾けて取り付けられており、遊技球ストッパ１５０が遊技球Ｂに対して同発射レール１２０における下流側から当接することによって、球送り機構１３０から供給された遊技球Ｂを発射待機位置にて保持可能な構成となっている。
【００４１】
遊技球ストッパ１５０よりも更に下流側、すなわち遊技球ストッパ１５０に対して遊技機本体１２の回動先端側となる位置には、上述したソレノイド１１０が配置されている。ソレノイド１１０は、当該ソレノイド１１０への電気的な信号の入力等に基づいてスライド移動（往復移動）する金属製の可動体１６０を有しており、その可動体１６０の移動方向が前記発射レール１２０のレール方向と同一となるよう、且つ可動体１６０が移動する軌道ＰＬが発射待機位置に配置された遊技球Ｂの中心を通過するように配置されている。これにより、可動体１６０によって押し出された遊技球Ｂが発射レール１２０に沿って移動しやすくなっている。
【００４２】
なお、上述した遊技球ストッパ１５０は、自身と発射レール１２０との間に可動体１６０の通過隙が形成されるように配置されている。これにより、遊技球ストッパ１５０によって所定位置に保持されている遊技球Ｂはソレノイド１１０側に露出し、当該ソレノイド１１０の可動体１６０による遊技球Ｂの打ち出しが可能となっている。
【００４３】
ここで、図８〜図１０に基づきソレノイド１１０について詳細に説明する。図８（ａ）はソレノイド１１０の平面図、図８（ｂ）はソレノイド１１０の側面図、図９はソレノイド１１０を主要構成部品ごとに分解して示す分解斜視図、図１０は図８（ａ）のＡ−Ａ線部分断面図である。
【００４４】
ソレノイド１１０は、上述した可動体１６０と、同可動体１６０の駆動力発生源を構成するソレノイド駆動部１７０と、可動体１６０が発射レール１２０のレール方向と同一方向に移動するように同可動体１６０の移動方向を規定する複数の規定部２１０，２３０と、それら各種構成が搭載されているハウジング２５０とによって構成されている（図８参照）。
【００４５】
ソレノイド駆動部１７０は、銅線よりなる励磁コイル１７１及びその励磁コイル１７１が取り付けられた合成樹脂製（絶縁体）のボビン１８１を備えている。ボビン１８１は、円筒状（中空状）をなす筒部１８２を有しており、その筒部１８２の外周面１８２ａに沿って励磁コイル１７１が巻き付けられている。励磁コイル１７１の両端は、図示せぬ中継基板に接続されており、この中継基板を介して励磁コイル１７１と電源・発射制御装置とが電気的に接続された状態となっている。なお、便宜上、図８においては励磁コイル１７１をドットハッチングで示し、図９においては同励磁コイル１７１を二点鎖線で示している。
【００４６】
ボビン１８１の筒部１８２の内部には、前記可動体１６０が挿通されている。可動体１６０は、筒部１８２の中心軸線Ｘ１と同一方向に延びる円柱状のシャフト１６１と、同シャフト１６１と同一方向に延びる円筒状のプランジャ１６２とを有している。それらシャフト１６１及びプランジャ１６２は、磁性ステンレス鋼等の強磁性体によって形成されており、同プランジャ１６２の内部にシャフト１６１が圧入された状態で一体化されている。プランジャ１６２は、その中心軸線がシャフト１６１の中心軸線Ｘ２と重なる（一致する）ように形成されているとともに、シャフト１６１の略中央に（詳しくは軸線方向における略中間位置）に配されている。つまり、シャフト１６１及びプランジャ１６２が一体化された状態においては、プランジャ１６２の両側からシャフト１６１が突出している。
【００４７】
プランジャ１６２は、その外径がボビン１８１（詳しくは筒部１８２）の内径に対して若干小さくなるように形成されている（図１０参照）。つまり、プランジャ１６２がボビン１８１の内部に挿通されている状態では、プランジャ１６２の外周面と筒部１８２の内周面１８２ｂとが若干の隙間を隔てて対峙した状態となっている。この隙間により、筒部１８２内をプランジャ１６２が移動する際の空気の逃げ道を確保し、ソレノイド１１０駆動時の空気抵抗の低減を図っている。
【００４８】
再びボビン１８１について説明すれば、図９及び図１０に示すように、筒部１８２の両側部には当該筒部１８２における中心軸線の放射方向に突出したフランジ部１８３，１８４が一体成形されている。フランジ部１８３，１８４は、筒部１８２の縁部全域に亘って形成されており、中央に筒部１８２の内部空間に連通する開口１８５，１８６が形成された略円板状をなしている。それらフランジ部１８３，１８４に対して励磁コイル１７１が当接することにより、ボビン１８１からの同励磁コイル１７１の抜け落ちが抑制されている。
【００４９】
これらフランジ部１８３，１８４に対してボビン１８１の軸線方向における外側となる位置には、上述した規定部２１０，２３０が配置されている。言い換えれば、規定部２０１，２３０はボビン１８０を間に挟むようにして設けられている。規定部２１０，２３０は、可動体１６０のシャフト１６１が挿通されている合成樹脂製の軸受け２１１，２３１と、それら軸受け２１１，２３１を保持する金属製のホルダ２１５，２３５とによって構成されている。
【００５０】
ホルダ２１５，２３５には可動体１６０の軸線方向に貫通された貫通孔２１６，２３６が形成されており、それら両ホルダ２１５，２３５は、当該ホルダ２１５，２３５の貫通孔２１６，２３６とボビン１８１の貫通孔２１６，２３６とが同一軸線上となるように配置されている。貫通孔２１６，２３６を規定する内周面２１６ａ，２３６ａにおいて同貫通孔２１６，２３６の軸線方向における途中位置には、当該貫通孔２１６，２３６の内側に突出する絞り部２１７，２３７が設けられている。
【００５１】
絞り部２１７，２３７は、環状（詳しくは円環状）をなしており、ボビン１８１側を向いた面（以下、内面２１７ａ，２３７ａと称する）と、ボビン１８１に対して反対側を向いた面（以下、外面２１７ｂ，２３７ｂと称する）とが同ホルダ２１５，２３５の軸線方向に対して垂直な略平面状をなすように形成されている（図１０参照）。この絞り部２１７，２３７を基準として、ホルダ２１５，２３５は、ボビン１８１側の大径部２１８，２３８と、ボビン１８１と反対側が大径部２１８，２３８よりも小さな内径を有する小径部２１９，２３９とに大別されている。
【００５２】
絞り部２１７，２３７の内径は、小径部２１９，２３９の内径よりも小さくなるように設定されている。そして、絞り部２１７，２３７及び小径部２１９，２３９によって囲まれた空間（以下、収容空間ＨＳと称する）に軸受け２１１，２３１が嵌まった状態となっている。より詳しくは、同収容空間ＨＳに対して軸受け２１１，２３１が圧入された状態となっている。
【００５３】
小径部２１９，２３９には、同小径部２１９，２３９における絞り部２１７，２３７と反対側の開放部分からの軸受け２１１，２３１の抜け落ちを規制するカシメ（図示略）が施されている。これら絞り部２１７，２３７、小径部２１９，２３９及びカシメによって、軸受け２１１，２３１の移動、例えば保持位置のずれやホルダ２１５，２３５からの外れが規制されている。
【００５４】
絞り部２１７，２３７の中央部分に形成されている開口２２０，２４０は、軸受け２１１，２３１の軸受け孔２１２，２３２と同軸となる丸孔状をなしており、それら開口２２０，２４０の内部に軸受け２１１，２３１の一部が嵌まった状態となっている。軸受け孔２１２，２３２の内径はシャフト１６１の外径と同等となるように設定されている。それら軸受け孔２１２，２３２に対してシャフト１６１が挿通されており、同シャフト１６１の移動方向、すなわち可動体１６０の移動方向が規定されている。なお、開口２２０，２４０の内径はシャフト１６１の外径よりも大きくなるように設定されており、絞り部２１７，２３７とシャフト１６１との干渉は回避されている。
【００５５】
上述した大径部２１８，２３８の内径は、ボビン１８１の内径とほぼ同等となるように設定されている。すなわち、大径部２１８，２３８の内径は、プランジャ１６２の外形よりも若干大きくなるように設定されている。これら大径部２１８，２３８及びボビン１８１は、同ボビン１８１の開口１８５，１８６を介して連通しており、それら大径部２１８，２３８及びボビン１８１間でのプランジャ１６２の行き来（移動）が許容されている。
【００５６】
開口２２０，２４０の内径（すなわち絞り部２１７，２３７の内径）は、プランジャ１６２の外径よりも小さくなるように設定されている。すなわち、絞り部２１７，２３７の内面２１７ａ，２３７ａは、可動体１６０におけるプランジャ１６２の端面１６３，１６４と対向している。これら内面２１７ａ，２３７ａによって、可動体１６０のスライド移動可能な範囲（動作スペースＭＳ）が規定されている。なお、軸受け２１１，２３１において開口２２０，２４０に嵌まっている部分については、絞り部２１７，２３７の内面２１７ａ，２３７ａからの突出が回避されるように形成されている。これにより、軸受け２１１，２３１とプランジャ１６２との接触は回避されている。
【００５７】
大径部２１８，２３８においてフランジ部１８３，１８４と対向する側の端部には、ボビン１８１に対するフランジ部２２１，２４１が一体形成されている。フランジ部２２１，２４１は、大径部２１８，２３８の縁部に沿って形成されており、規定部２１０，２３０の中心軸線に対して放射状に延びる円環状をなしている。これらフランジ部２２１，２４１に対応して、ボビン１８１のフランジ部１８３，１８４には設置部１８７，１８８が形成されている。設置部１８７，１８８はフランジ部１８３，１８４の外面１８３ａ，１８４ａよりも低位となるように段差状に窪んでおり、それら設置部１８７，１８８に対して各フランジ部２２１，２４１が嵌合する構成となっている。これら設置部１８７，１８８及びフランジ部２２１，２４１が嵌合することで、ボビン１８１と両規定部２１０，２３０とが組み合わせられた状態となっている。
【００５８】
設置部１８７，１８８の深さ寸法は、フランジ部２２１，２４１の厚み寸法の凡そ半分程度となるように設定されている。このため、設置部１８７，１８８及びフランジ部２２１，２４１が嵌合している状態においては、フランジ部２２１，２４１の一部（具体的にはその厚みの凡そ半分程度）が設置部１８７，１８８、すなわちフランジ部１８３，１８４の外面１８３ａ，１８４ａから張り出す構成となっている。
【００５９】
なお、ホルダ２１５，２３５は必ずしも大径部２１８，２３８及び小径部２１９，２３９を有する必要はない。すなわち、絞り部２１７，２３７を基準として内径を相違させる必要はない。例えば、ホルダが内径が一定となるように形成された貫通孔を有し、その内周面に絞り部を形成してもよい。
【００６０】
以上詳述した、規定部２１０，２３０（詳しくは軸受け２１１，２３１）の中心軸線Ｘ３，Ｘ４は上述したソレノイド駆動部１７０（詳しくはボビン１８１）の中心軸線Ｘ１と重なるように構成されている。これにより、可動体１６０（詳しくはシャフト１６１）の移動方向がボビン１８１の軸線方向と同じ方向とになるように規定されている。
【００６１】
以下、説明の便宜上、規定部２１０，２３０のうち発射レール１２０側の規定部２１０を「第１規定部２１０」、発射レール１２０と反対側の規定部２３０を「第２規定部２３０」と称し、それら各規定部２１０，２３０の各種構成についても同様に適宜「第１〜」及び「第２〜」として区別して示す。
【００６２】
図９や図１０等に示すように、第１規定部２１０の第１ホルダ２１５，ボビン１８１の筒部１８２及び可動体１６０のプランジャ１６２によって区画された空間（第１区画空間ＤＳ１）には、可動体１６０を第２規定部２３０側に向けて付勢する付勢部材としてのコイルバネ１６９が設けられている。コイルバネ１６９は、その一端が第１ホルダ２１５の絞り部２１７（詳しくは内面２１７ａ）に当接し、他端がプランジャ１６２における第１規定部２１０側の端面１６３に当接しており、常時圧縮された状態となっている。ソレノイド駆動部１７０が駆動していない場合には、可動体１６０は、コイルバネ１６９の付勢力によって第２規定部２３０側に偏倚した位置（初期位置）にて待機した状態となるように構成となっている。
【００６３】
一方、第２規定部２３０の第２ホルダ２３５，ボビン１８１の筒部１８２及び可動体１６０のプランジャ１６２によって区画された空間（第２区画空間ＤＳ２）には、プランジャ１６２における第２規定部２３０側の端面１６４と、第２ホルダ２３５の絞り部２３７（詳しくは内面２３７ａ）との干渉を緩和する緩衝材としてゴムリング１６８が設けられている。ゴムリング１６８は、端面１６４及び内面２３７ａの間に配置されており、具体的にはシャフト１６１に装着されている。上述したコイルバネ１６９によって可動体１６０が第２規定部２３０側に押されることで、当該ゴムリング１６８が端面１６４及び内面２３７ａの間に挟まれることとなる。これにより、可動体１６０が初期位置に配置された際の打音の発生が抑制されている。つまり、このゴムリング１６８は消音材としての機能を併せ有している。
【００６４】
なお、ゴムリング１６８を第２規定部２３０側に装着することも可能である。また、ゴムリング１６８は必ずしも第２区画空間ＤＳ２内に配置する必要はなく、第２区画空間ＤＳ２外、例えば第２規定部２３０の外側に配置してもよい。
【００６５】
シャフト１６１において第１規定部２１０から突出している部位には、発射待機位置に保持された遊技球Ｂの打ち出しに伴って、同遊技球Ｂと当接する当接部材１６７が取り付けられている。当接部材１６７は、シャフト１６１よりも軟質な材料（詳しくは合成樹脂材料）によって形成されており、可動体１６０による遊技球の打ち出しが行われる際の打音の低減及び遊技球の保護が図られている。
【００６６】
以上詳述したソレノイド駆動部１７０及び規定部２１０，２３０は、相互に組み合わせられた状態にて、ボビン１８１の軸線方向における両側からハウジング２５０により挟持されている。ハウジング２５０は、磁性ステンレス鋼等の強磁性体によって形成されており、第１規定部２１０側に設けられた第１ハウジング構成体２６０及び第２規定部２３０側に設けられた第２ハウジング構成体２８０によって構成されている。以下、図９〜図１２に基づき各ハウジング構成体２６０，２８０について説明する。図１１（ａ）は第１ハウジング構成体２６０の平面図、図１１（ｂ）は第２ハウジング構成体２８０の平面図、図１２（ａ）は第１ハウジング構成体２６０の正面図、図１２（ｂ）は第２ハウジング構成体２８０の正面図である。なお、便宜上、先ず第２ハウジング構成体２８０について説明する。
【００６７】
第２ハウジング構成体２８０は、ベースプレート１４０に対向し、同ベースプレート１４０に対しての取付部を構成する基部２８１を有している。基部２８１はベースプレート１４０と平行な平板状をなしており、ソレノイド１１０の平面視（第２ハウジング２８０の平面視）において少なくともソレノイド駆動部１７０の全域と重なるように形成されている（図１１（ａ）参照）。基部２８１の一側部には第２規定部２３０を保持する保持部２８２が一体成形されている。保持部２８２は、基部２８１からベースプレート１４０側と反対に起立する板状をなしており、同保持部２８２におけるボビン１８１側の板面（内面２８２ａ）がボビン１８１のフランジ部１８４と対向するように形成されている。
【００６８】
保持部２８２の略中央には、第２ホルダ２３５の大径部２３８が挿通される挿通孔２８３が形成されており、この挿通孔２８３を介して大径部２３８の一部がハウジング２５０外に突出した状態となっている。
【００６９】
挿通孔２８３の周縁には、第２ホルダ２３５のフランジ部２４１においてフランジ部１８４の外面１８４ａから張り出している部分と嵌合する嵌合部２８４が設けられている。嵌合部２８４は、保持部２８２の内面２８２ａに対して低位となるように段差状に窪んでおり、その深さ寸法が外面１８４ａからのフランジ部２４１の張出量と同等となるように形成されている。
【００７０】
フランジ部２４１が嵌合部２８４内に嵌まった状態にて、保持部２８２の内面２８２ａとフランジ部１８４の外面１８４ａとが面接触している。このように保持部２８２及びフランジ部１８４が面接触している状態においては、第２ハウジング構成体２８０の保持部２８２とフランジ部１８４の設置部１８８とによって第２規定部２３０のフランジ部２４１が嵌まる空間が区画形成されている。
【００７１】
保持部２８２において基部２８１と反対側の端部には、ソレノイド駆動部１７０を挟んで基部２８１と対向する対向部２８５が設けられている。対向部２８５は、保持部２８２を基端として第１規定部２１０側に延びる板状をなしており、ソレノイド１１０の平面視においてソレノイド駆動部１７０全体を覆うように形成されている。対向部２８５の先端側には、基部２８１及び対向部２８５を繋ぐようにして、上述した第１ハウジング構成体２６０が配されている。すなわち、第１ハウジング構成体２６０は、第２保持部２８２に対してソレノイド駆動部１７０を挟んだ反対側に配置されている。
【００７２】
第１ハウジング構成体２６０は、第１規定部２１０を保持する保持部２６１を有している。保持部２６１は、ソレノイド駆動部１７０を挟んで第２ハウジング構成体２８０の保持部２８２と対向する平板状をなしている。保持部２６１の略中央には、第１ホルダ２１５の大径部２１８が挿通される挿通孔２６２が形成されており、この挿通孔２６２を介して大径部２１８の一部がハウジング２５０外に突出した状態となっている。
【００７３】
挿通孔２６２の周縁には、第１ホルダ２１５のフランジ部２２１においてフランジ部１８３の外面１８３ａから張り出している部分と嵌合する嵌合部２６３が設けられている。嵌合部２６３は、保持部２６１においてフランジ部１８３と対向している板面（内面２６１ａ）に対して低位となるように段差状に窪んでおり、その深さ寸法がフランジ部２２１の張出量と同等となるように形成されている。
【００７４】
フランジ部２２１が嵌合部２６３内に嵌まった状態にて、保持部２６１の内面２６１ａとフランジ部１８３の外面１８３ａとが面接触している。言い換えれば、保持部２６１及びフランジ部１８３が面接触している状態においては、第１ハウジング構成体２６０の保持部２６１とフランジ部１８３の設置部１８７とによって第２規定部２３０のフランジ部２４１が嵌まる空間が区画形成されている。
【００７５】
ここで、同図１０〜図１２に基づき第１ハウジング構成体２６０及び第２ハウジング構成体２８０の組み合わせ及び固定に関する構成について説明する。
【００７６】
第２ハウジング構成体２８０の基部２８１における発射レール１２０側の端部には、ソレノイド駆動部１７０よりも外側（発射レール１２０側）に延びる平板状の延出部２８６が形成されており、第１ハウジング２６０の保持部２６１には、その延出部２８６に対して内側から当接する当接部２６４が一体成形されている。当接部２６４は延出部２８６と平行な板状をなしており、その板面が延出部２８６の板面と面接触している。
【００７７】
一方、第２ハウジング構成体２８０における対向部２８５の発射レール１２０側の端部には、ソレノイド駆動部１７０の外側（発射レール１２０側）に延びる平板状の延出部２８７が形成されており、第１ハウジング２６０の保持部２６１には、その延出部２８７に対して内側から当接する当接部２６５が一体成形されている。当接部２６５は延出部２８７と平行な板状をなしており、その板面が延出部２８７の板面と面接触している。
【００７８】
以上詳述したように第１ハウジング構成体２６０の当接部２６４，２６５が第２ハウジング構成体２８０の延出部２８６，２８７に当接することに基づいて、同第１ハウジング構成体２６０が同第２ハウジング構成体２８０によって挟持された状態となり、これらハウジング構成体２６０，２８０によっていわゆる「ヨーク」が形成されている。
【００７９】
また、第１ハウジング構成体２６０の保持部２６１における基部２８１側の端部には１組みの突出部２６６，２６７が形成されている。それら突出部２６６，２６７は、当接部２６４を挟んだ両側に離間して配置されており、第２ハウジング構成体２８０の延出部２８６を挟み込むようにして同延出部２８６の縁部に当接している。同様に、保持部２６１における対向部２８５側の端部には１組みの突出部２６８，２６９が形成されている。それら突出部２６８，２６９は、当接部２６５を挟んだ両側に離間して配置されており、第２ハウジング構成体２８０の延出部２８７は挟み込むようにして同延出部２８７の縁部に当接している。
【００８０】
更に、基部２８１において延出部２８６の両側には、可動体１６０の軸線方向を向いた壁状の位置決め部２８８，２８９が設けられているとともに、対向部２８５において延出部２８７の両側には、可動体１６０の軸線方向を向いた壁状の位置決め部２９０，２９１が設けられている。これら位置決め部２８８〜２９１は上述した各突出部２６６〜２６９に対応して形成されており、同位置決め部２８８〜２９１に対して突出部２６６〜２６９が当接することにより、第１ハウジング構成体２６０及び第２ハウジング構成体２８０の相対位置、詳しくは可動体１６０の軸線方向における相対位置が特定される構成となっている。
【００８１】
上述の如く第１ハウジング構成体２６０及び第２ハウジングが組み合わせられた状態にて、それら両ハウジング構成体２６０，２８０が、結合手段としての皿ネジ２９６，２９７によって結合されている。
【００８２】
具体的には、第１ハウジング構成体２６０の当接部２６４，２６５には、皿ネジ２９６，２９７が螺着されるネジ孔２７３，２７４が設けられており、第２ハウジング構成体２８０の延出部２８６，２８７には、それらネジ孔２７３，２７４に連通する連通孔２９３，２９４が設けられている。皿ネジ２９６，２９７が、それら連通孔２９３，２９４を介してハウジング２５０の外側から挿通され、ネジ孔２７３，２７４に対して取り付けられることにより、両ハウジング構成体２６０，２８０が一体化されている。このように、両ハウジング構成体２６０，２８０が結合されることにより、ソレノイド駆動部１７０及び両規定部２１０，２３０が両ハウジング構成体２６０，２８０によってソレノイド１１０の軸線方向両側から挟持された状態となり、それらソレノイド駆動部１７０及び規定部２１０，２３０の分離（取り外し）が不可となる。
【００８３】
ネジ孔２７３，２７４及び連通孔２９３，２９４は、それら各孔２７３，２７４，２９３，２９４の中心軸線が可動体１６０の中心軸線Ｘに対して交差（詳しくは直交）する方向に延びるように形成されている。このため、同ネジ孔２７３，２７４に対して螺着された皿ネジ２９６，２９７の中心軸線は可動体１６０の中心軸線Ｘに対して交差（詳しくは直交）することとなる。このように皿ネジ２９６，２９７を可動体１６０のスライド方向に対して交差するように（詳しくは垂直となるように）取り付ける構成としたことにより、ソレノイド１１０が駆動することに起因して発生する振動等によって同皿ネジ２９６，２９７が緩むといった不都合を生じにくくしている。
【００８４】
図１１（ｂ）の拡大図等に示すように、連通孔２９３，２９４は、ネジ孔２７３，２７４よりも大きく形成されている。具体的には、連通孔２９３，２９４は、ネジ孔２７３，２７４と連なる位置を基端としてソレノイド駆動部１７０から離れる側に（詳しくは可動体１６０の軸線方向）に延びる長孔状をなしている。それら連通孔２９３，２９４の孔径は可動体１６０の軸線方向においてネジ孔２７３，２７４から離れるに従って小さくなるように形成されている。つまり、連通孔２９３，２９４は、ネジ孔２７３，２７４から離れる従って徐々に縮径されるように形成されている。
【００８５】
皿ネジ２９６，２９７の頭部２９６ａ，２９７ａは、ネジ部２９６ｂ，２９７ｂに向けて徐々に窄むテーパ状をなしている。また、連通孔２９３，２９４は、ネジ部２９６ｂ，２９７ｂが連通孔２９３，２９４に挿通されている状態では、同連通孔２９３，２９４内のいずれの位置においても同頭部２９６ａ，２９７ａと延出部２８６，２８７との係り代（すなわちネジ部２９６ｂ，２９７ｂの軸線方向における重なり）が確保されるように形成されている。このため、皿ネジ２９６，２９７を連通孔２９３，２９４に挿通した状態にてねじ込んだ場合には、連通孔２９３，２９４において内径が拡がっている側、すなわちネジ孔２７３，２７４側に皿ネジ２９６，２９７が案内されることとなる。つまり、連通孔２９３，２９４の傾斜及び皿ネジ２９６，２９７の頭部２９６ａ，２９７ａの傾斜によって皿ネジ２９６，２９７を所定の締結位置ＣＰに導く案内手段が構成されている。
【００８６】
例えば、第１ハウジング構成体２６０と第２ハウジング構成体２８０との結合作業が行われる際には、作業ばらつき等に起因して両ハウジング構成体２６０，２８０が上述した特定の組み合わせ位置に配置されないまま皿ネジ２９６，２９７の装着作業が行われる可能性がある。このような場合であっても、皿ネジ２９６，２９７のねじ込み操作に基づいて、両ハウジング構成体２６０，２８０の位置合わせなされることで、正常な結合作業を行うことができる。
【００８７】
具体的には、皿ネジ２９６，２９７を連通孔２９３，２９４における拡張部分に挿通し、ねじ込みを行うことにより、皿ネジ２９６，２９７が連通孔２９３，２９７内をスライド移動する。スライド移動中に、ネジ部２９６ｂ，２９７ｂがネジ孔２７３，２７４に嵌まる位置に達すると、それらネジ部２９６ｂ，２９７ｂ及びネジ孔２７３，２７４が噛み合うこととなる。このようにネジ部２９６ｂ，２９７ｂ及びネジ孔２７３，２７４が噛み合った状態にて、皿ネジ２９６，２９７を更にねじ込むことにより第１ハウジング構成体２６０及び第２ハウジング構成体２８０の少なくとも一方がソレノイド１１０の軸線方向にスライド移動し、両ハウジング構成体２６０，２８０の相対位置が変化することとなる。つまり、皿ネジ２９６，２９７のねじ込みに操作に基づいて、両ハウジング構成体２６０，２８０の位置ばらつきが徐々に補正され、ねじ込み操作を完了する時点では、両ハウジング構成体２６０，２８０の位置合わせが完了された状態となる。これにより、各ハウジング構成体２６０，２８０の組み合わせ作業の作業ばらつきを許容しやすくし、ハウジング構成体２６０，２８０の結合作業の煩雑化を抑制している。
【００８８】
以上詳述したようにソレノイド駆動部１７０，第１規定部２１０，第２規定部２３０，第１ハウジング構成体２６０及び第２ハウジング構成体２８０が一体化された状態においては、両規定部２１０，２３０及びハウジング２５０によって磁気回路が構成されている。詳しくは、既に説明したように規定部２１０，２３０及びハウジング２５０は磁性体からなり、それら各種構成によって、ソレノイド駆動部１７０（詳しくは励磁コイル１７１）に発生した磁気を通す磁気回路が形成されている。つまり、規定部２１０，２３０は、可動体１６０の移動方向を規制する機能と、磁気回路を構成する「ヨーク」としての機能とを併せ有しており、ハウジング２５０は各種構成を一体化する機能と、電磁回路を構成する「ヨーク」としての機能を併せ有している。これら規定部２１０，２３０及びハウジング２５０によって磁気回路が形成され、ソレノイド駆動部１７０に発生する磁界の補強がなされる点に着目すれば、ソレノイド駆動部１７０、規定部２１０，２３０及びハウジング２５０によって可動体１６０を駆動する「駆動手段」が構成されているとも言える。
【００８９】
ここで、再び図１０を用いて、ソレノイド１１０に形成される磁気回路ＭＣについて説明する。なお、図１０においては、磁気回路ＭＣの一例を２点鎖線で示している。
【００９０】
磁気回路ＭＣは、可動体１６０の中心軸線Ｘ２を挟んで対称となるように形成されており、第２ハウジング構成体２８０の基部２８１側にて環状をなす磁気回路ＭＣと、第２ハウジング構成体２８０の対向部２８５側にて環状をなす磁気回路ＭＣとに大別される。磁気回路ＭＣにおける中心軸線Ｘ側の境界、すなわち中心軸線Ｘからの最短距離は、各規定部２１０，２３０における開口２３９の内壁の位置によって規定されている。このように絞り部２１７，２３７を中心軸線Ｘ側に突出させ、中心軸線Ｘと開口２２０，２４０との距離によって、磁気回路ＭＣとプランジャ１６２との重なりを規定することにより、ソレノイド１１０の動特性の変更を容易なものとしている。磁気回路ＭＣは、励磁コイル１７１が通電し磁気が発生した場合に、第１規定部２１０（詳しくは絞り部２１７）とプランジャ１６２との間に吸引力が生じるように構成されている。以下、ソレノイド１１０の動作について簡単に説明する。
【００９１】
励磁コイル１７１が通電していない場合には、絞り部２１７とプランジャ１６２との間に吸引力が生じない。このため、可動体１６０はコイルバネ１６９の付勢力によって第２規定部２３０の絞り部２３７に押し付けられた状態、すなわち初期位置にて待機した状態となっている（図１０参照）。
【００９２】
励磁コイル１７１が通電し、磁気が発生した場合には、プランジャ１６２が第１規定部２１０の絞り部２１７側に吸着される。かかる場合、可動体１６０はコイルバネ１６９の付勢力に抗して第１規定部２１０側に移動することとなる。
【００９３】
可動体１６０が上述した吸引力に基づいて移動した場合には、コイルバネ１６９が縮み第１規定部２１０の絞り部２１７を発射レール１２０側に押す力が増大することとなる。つまり、第１規定部２１０に対して、同第１規定部２１０を発射レール１２０側に変位させるように負荷が増すこととなる。
【００９４】
第１規定部２１０のフランジ部２２１は第１ハウジング２６０の保持部２６１に対して当接している。このため、上記絞り部２１７に対して加わった力は第１規定部２１０の大径部２１８及びフランジ部２２１を介して第１ハウジング２６０に伝わることとなる。このようにして第１ハウジング２６０に伝わった力は、皿ネジ２９６，２９７を介して第２ハウジング２８０に伝わる。つまり、上記吸引力に基づいて可動体１６０が移動することにより発生した力は、ソレノイド１１０全体を発射レール１２０側に押すように作用する。このように、第１規定部２１０に対して加わる応力をハウジング２５０等によって分散して受けることにより、同第１規定部２１０に対して負荷が集中することが回避される。
【００９５】
また、上述の如く第２ハウジング２８０は、第２規定部２３０のフランジ部２４１及びソレノイド駆動部１７０のボビン１８１に当接している。このため、第２ハウジング２８０に伝わった力は、第２ハウジング２８０の対向部２８５及び第２ハウジング２８０の保持部２８２を介して、第２規定部２３０及びソレノイド駆動部１７０のボビン１８１に伝わることとなる。つまり、第２規定部２３０及びボビン１８１は、第２ハウジング２８０の保持部２８２によって発射レール１２０側に押されることなる。
【００９６】
このように可動体１６０の移動に基づいて第１規定部２１０が押される側と同一側に、第２規定部２３０及びボビン１８１が移動することにより、第１規定部２１０と第２規定部２３０及びボビン１８１との相対位置が変化することを抑制可能となっている。つまり、可動体１６０の移動に伴って発生する力に起因して、第１規定部２１０の中心軸線Ｘ３及び第２規定部２３０の中心軸線Ｘ４のずれや、それら規定部２１０，２３０の中心軸線Ｘ３，Ｘ４とソレノイド駆動部１７０の中心軸線Ｘ１とのずれが生じることを抑制可能となっている。
【００９７】
励磁コイル１７１への電力の供給が停止すると、上述した吸引力は消失することとなる。このように吸引力が消失することによって、コイルバネ１６９の付勢力に抗する力が作用しなくなり、同コイルバネ１６９の付勢力に基づいて可動体１６０が第２規定部２３０側に移動することとなる。そして、可動体１６０が初期位置に達すると、ゴムリング１６８が第２規定部２３０の絞り部２３７に当接し、同可動体１６０の移動が停止する（図１０参照）。
【００９８】
可動体１６０が上述したコイルバネ１６９の付勢力に基づいて、第２規定部２３０側に移動した場合には、第２規定部２３０の絞り部２３７と可動体１６０のゴムリング１６８とが当たることにより、第２規定部２３０の絞り部２３７に対して当該絞り部２３７を発射レール１２０と反対側に押す力が加わることとなる。つまり、第２規定部２３０に対して、同第２規定部２３０を発射レール１２０から離れる側に変位させるような負荷が加わることとなる。
【００９９】
第２規定部２３０のフランジ部２４１は第２ハウジング２８０の保持部２８２に対して当接している。このため、上記絞り部２３７に対して加わった力は第２規定部２３０の大径部２３８及びフランジ部２４１を介して第２ハウジング２８０に伝わることとなる。このようにして第２ハウジング２８０に伝わった力は、対向部２８５及び皿ネジ２９６，２９７等を介して第１ハウジング２６０に伝わることととなる。つまり、コイルバネ１６９の付勢力に基づいて可動体１６０が移動することにより発生した力は、ソレノイド１１０全体を発射レール１２０から離れる側に押すように作用することとなる。このように、第２規定部２３０に対して加わる力をハウジング２５０等によって分散して受けることにより、同第２規定部２３０に対して負荷が集中することが回避される。
【０１００】
また、上述の如く第１ハウジング２６０は、第１規定部２１０のフランジ部２２１及びソレノイド駆動部１７０のボビン１８１に当接している。このため、第１ハウジング２６０に伝わった力は、第１ハウジング２６０の保持部２６１を介して第１規定部２１０及びソレノイド駆動部１７０のボビン１８１に伝わることとなる。この場合、第１規定部２１０及びボビン１８１は、発射レール１２０から離れる側に押されることなる。このように可動体１６０の移動に基づいて第２規定部２３０が押される側と同一側に第１規定部２１０及びボビン１８１が押されることにより、第１規定部２１０と第２規定部２３０及びボビン１８１との相対位置が変化することを抑制可能としている。つまり、可動体１６０の移動に伴って発生する力により、第１規定部２１０の中心軸線Ｘ３及び第２規定部２３０の中心軸線Ｘ４のずれや、それら規定部２１０，２３０の中心軸線Ｘ３，Ｘ４とソレノイド駆動部１７０の中心軸線Ｘ１とのずれが発生すること抑制可能となっている。
【０１０１】
次に、図１３に基づきソレノイド１１０の組立作業について説明する。ソレノイド１１０を組み立てる際には、図１３（ａ）→図１３（ｂ）→図１３（ｃ）→図１３（ｄ）の順に作業が行われる。
【０１０２】
先ず、図１３（ａ）に示すように、ソレノイド駆動部１７０の筒部１８２に可動体１６０を挿入する。この際、併せてコイルバネ１６９をシャフト１６１に挿通する。
【０１０３】
このように、ソレノイド駆動部１７０及び可動体１６０を組み合わせた後、第１規定部２１０及び第２規定部２３０をソレノイド駆動部１７０（詳しくはボビン１８１）に対して設置する。具体的には、第１規定部２１０の軸受け孔２１２に可動体１６０のシャフト１６１を通し、同可動体１６０の軸線方向に第１規定部２１０を押し込むとともに、第２規定部２３０の軸受け孔２３２にシャフト１６１を通し、同可動体１６０の軸線方向に第２規定部２３０を押し込む（図１３（ｂ）参照）。
【０１０４】
両規定部２１０，２３０をボビン１８１に当接する位置まで押し込むと、ボビン１８１の設置部１８７，１８８に各規定部２１０，２３０のフランジ部２２１，２４１が嵌まった状態となる。かかる状態においては、可動体１６０のゴムリング１６８が第２規定部２３０の絞り部２３７に当接するとともに、コイルバネ１６９が若干圧縮された状態となる。
【０１０５】
次に、図１３（ｃ）に示すように、一体化された可動体１６０，ソレノイド駆動部１７０，第１規定部２１０及び第２規定部２３０をハウジング２５０に搭載する。具体的には、先ず、第２ハウジング構成体２８０を、挿通孔２８３に第２規定部２３０の大径部２３８が嵌まった状態にてボビン１８１側に向けて押し込む。第２ハウジング構成体２８０を所定の取付位置まで押し込むと、第２ハウジング構成体２８０の嵌合部２８４に第２規定部２３０のフランジ部２４１が嵌まるとともに、第２ハウジング構成体２８０の保持部２８２がボビン１８１のフランジ部１８４に当接する。これにより、第２ハウジング構成体２８０がソレノイド駆動部１７０及び第２規定部２３０と組み合わせられた状態となる。
【０１０６】
第１ハウジング２５０を、挿通孔２６２に第１規定部２１０の大径部２１８が嵌まった状態にて、同第１ハウジング２５０をボビン１８１側に押し込む。このような押し込みを行う際には、第１ハウジング構成体２６０の当接部２６４，２６５及び各突出部２６６〜２６９が第２ハウジング構成体２８０の延出部２８６，２８７に当接した状態となることで、第１ハウジング構成体２６０の組み付けばらつきが抑制される。第１ハウジング構成体２６０を所定の取付位置まで押し込むと、突出部２６６〜２６９が第２ハウジング構成体２８０の位置決め部２８８〜２９１に当たる。これにより、それ以上の押し込み操作が不可となる。このように、第１ハウジング構成体２６０を所定の取付位置まで押し込むと、第１ハウジング構成体２６０の嵌合部２６３に第１規定部２１０のフランジ部２２１が嵌まるとともに、第１ハウジング構成体２６０の保持部２６１がボビン１８１のフランジ部１８３に当接する。
【０１０７】
図１３（ｃ）に示すように各種構成を組み合わせた後は、皿ネジ２９６，２９７によって第１ハウジング構成体２６０及び第２ハウジング構成体２８０を結合する。かかる作業を行う際には、コイルバネ１６９の付勢力等によって、第１ハウジング構成体２６０及び第２ハウジング構成体２８０の相対位置が、所定の組み合わせ位置からずれやすくなることが懸念される。この点、本実施の形態においては、皿ネジ２９６，２９７のねじ込み操作に基づいて、第１ハウジング構成体２６０のネジ孔２７３，２７４及び第２ハウジング構成体２８０の連通孔２９３，２９４の位置ずれが補正されることとなる。これにより、上述したような両ハウジング構成体２６０，２８０の位置ずれを回避することが可能となり、それら両ハウジング構成体２６０，２８０を用いた各種構成の保持（挟持）を好適なものとすることができる。そして、最後に、当接部材１６７をシャフト１６１の先端に装着することにより、ソレノイド１１０の組立作業が完了する（図１３（ｄ）参照）。
【０１０８】
以上詳述した遊技球発射装置１００における遊技球の発射は以下のように行われる。遊技者によりハンドル装置５９が操作されると、ハンドル操作量がセンサ等により検出され、その検出信号が発射制御装置８３に入力される。発射制御装置８３により、前記検出信号に応じた制御信号がソレノイド駆動部１７０に出力され、ソレノイド駆動部１７０は、発射制御装置８３の制御信号に応じて電磁的な吸引力を発生させる。プランジャ１６２は、この電磁的な吸引力により遊技球Ｂ側に押出される。可動体１６０が押し出されることにより、当接部材１６７が、発射待機位置に保持された遊技球Ｂと接触する。これにより、遊技球Ｂが発射レール１２０に沿って打ち出される。打ち出された遊技球Ｂは、発射レール１２０上を移動し、遊技領域に向けて発射される。遊技球Ｂの打ち出しを終えた後には、コイルバネ１６９の付勢力により可動体１６０が初期位置に押し戻される。
【０１０９】
次に、パチンコ機１０の電気的構成について、図１４のブロック図に基づいて説明する。図１４では、電力の供給ラインを二重線矢印で示し、信号ラインを実線矢印で示す。
【０１１０】
主制御装置６３に設けられた主制御基板３００には、主制御回路３０２と停電監視回路３０３とが内蔵されている。主制御回路３０２には、ＭＰＵ３０４が搭載されている。ＭＰＵ３０４には、当該ＭＰＵ３０４により実行される各種の制御プログラムや固定値データを記憶したＲＯＭ３０５と、そのＲＯＭ３０５内に記憶される制御プログラムの実行に際して各種のデータ等を一時的に記憶するためのメモリであるＲＡＭ３０６と、割込回路やタイマ回路、データ入出力回路などの各種回路が内蔵されている。
【０１１１】
ＭＰＵ３０４には、入力ポート及び出力ポートがそれぞれ設けられている。ＭＰＵ３０４の入力側には、主制御基板３００に設けられた停電監視回路３０３、払出制御装置８２に設けられた払出制御基板３１１及びその他図示しないスイッチ群などが接続されている。この場合に、停電監視回路３０３には電源・発射制御装置８３に設けられた電源・発射制御基板３１５が接続されており、ＭＰＵ３０４には停電監視回路３０３を介して電力が供給される。
【０１１２】
一方、ＭＰＵ３０４の出力側には、停電監視回路３０３、払出制御基板３１１及び中継端子板３１９が接続されている。払出制御基板３１１には、賞球コマンドなどといった各種コマンドが出力される。中継端子板３１９を介して主制御回路３０２から音声ランプ制御装置６６に設けられた音声ランプ制御基板３２１に対して各種コマンドなどが出力される。
【０１１３】
停電監視回路３０３は、主制御回路３０２と電源・発射制御基板３１５とを中継し、また電源・発射制御基板３１５から出力される最大電圧である直流安定２４ボルトの電圧を監視する。
【０１１４】
払出制御基板３１１は、払出装置７８により賞球や貸し球の払出制御を行うものである。演算装置であるＭＰＵ３１２は、そのＭＰＵ３１２により実行される制御プログラムや固定値データ等を記憶したＲＯＭ３１３と、ワークメモリ等として使用されるＲＡＭ３１４とを備えている。
【０１１５】
払出制御基板３１１のＭＰＵ３１２には、入出力ポートが設けられている。ＭＰＵ３１２の入力側には、主制御回路３０２、電源・発射制御基板３１５、及び裏パック基板７９が接続されている。また、ＭＰＵ３１２の出力側には、主制御回路３０２及び裏パック基板７９が接続されている。
【０１１６】
電源・発射制御基板３１５は、電源部３１６と発射制御部３１７とを備えている。電源部３１６は、例えば、遊技場等における商用電源（外部電源）に接続されている。そして、その商用電源から供給される外部電力に基づいて主制御回路３０２や払出制御基板３１１等に対して各々に必要な動作電力を生成するとともに、その生成した動作電力を二重線矢印で示す経路を通じて主制御回路３０２や払出制御基板３１１等に対して供給する。発射制御部３１７は、遊技球発射装置１００の発射制御を担うものであり、遊技球発射装置１００は所定の発射条件が整っている場合に駆動される。
【０１１７】
音声ランプ制御基板３２１は、表示制御装置３２５を制御するものである。演算装置であるＭＰＵ３２２は、そのＭＰＵ３２２により実行される制御プログラムや固定値データ等を記憶したＲＯＭ３２３と、ワークメモリ等として使用されるＲＡＭ３２４とを備えている。
【０１１８】
音声ランプ制御基板３２１のＭＰＵ３２２には入出力ポートが設けられている。ＭＰＵ３２２の入力側には中継端子板３１９に中継されて主制御回路３０２が接続されており、主制御回路３０２から出力される各種コマンドに基づいて、表示制御装置３２５を制御する。表示制御装置３２５は、音声ランプ制御基板３２１から入力する表示コマンドに基づいて図柄表示装置４１を制御する。
【０１１９】
以上詳述した本実施の形態によれば、以下の優れた効果を奏する。
【０１２０】
ソレノイド１１０が可動体１６０の移動方向を規定する規定部２１０，２３０を有する構成とした。これにより、可動体１６０の動作の安定化を図ることができる。具体的には、磁気回路ＭＣ（詳しくは規定部２１０，２３０及びハウジング２５０）とプランジャ１６２との空隙（いわゆるエアーギャップ）が、可動体１６０が動作する度にばらつくことを抑制することにより、安定した磁気特性（動特性）を得ることが可能となっている。
【０１２１】
規定部２１０，２３０（詳しくは軸受け２１２，２３２）をソレノイド駆動部１７０のボビン１８１に対して設置する構成とした。具体的には、ボビン１８１の設置部１８７，１８８に対して、各規定部２１０，２３０のフランジ部２２１，２４１を嵌め合わせる構成とした。このように、規定部２１０，２３０をボビン１８１に対して直接設置する構成としたことにより、寸法公差等の累積に起因してソレノイド駆動部１７０（詳しくは励磁コイル１７１）の中心軸線Ｘ１と可動体１６０の中心軸線Ｘ２との位置ばらつき（芯ずれや傾き等）の発生を抑えることができる。これにより、上述したソレノイド駆動部１７０に発生する吸引力によって可動体１６０が当該可動体１６０の中心軸線Ｘ２と交差する方向に引き寄せられることを抑制しできる。故に、コイルに供給される電力を有効活用し、遊技球の発射効率を高めることが可能となっている。
【０１２２】
プランジャ１６２の端面１６３と絞り部２１７の内面２１７ａとが中心軸線Ｘに対して直交する平面状をなす構成とした。これにより、可動体１６０の全動作範囲のうち遊技球と当たる位置を含んだ特定の範囲においては、磁気特性（動特性）の変化を抑えることが可能となっている。
【０１２３】
より詳しく説明すれば、例えばプランジャの端面１６３を絞り部２１７の内面２１７ａ側に凸となるように変更し、絞り部２１７の内面２１７ａがプランジャの端面１６３に対応して凹となるように変更することも可能である。しかしながら、このような変更を行った場合には、可動体１６０の全動作範囲のうち遊技球と当たる位置を含んだ特定の範囲においては、遊技球に近づくに従って磁気特性が徐々に低下することとなる。これは、励磁コイル１７１に印加する電圧とソレノイド駆動部１７０に発生する吸引力とを比例させにくくする要因となり得るため好ましくない。この点、上述の如く可動体１６０の位置によって動特性が変化することを抑制する構成を採用したことにより、励磁コイル１７１に印加する電圧とソレノイド駆動部１７０に発生する吸引力とを比例させやすくできる。故に、ハンドル装置５９を操作した際の操作量と発射速度とが一定の比例関係を有する構成を実現しやすくなっている。
【０１２４】
第１規定部２１０は、ソレノイド１１０の組み立てが完了した状態においては、ボビン１８１のフランジ部１８３と第２ハウジング構成体２８０の保持部２８２とによって挟持されている。また、第２規定部２３０についても同様に、ボビン１８１のフランジ部１８４と第１ハウジング構成体２６０の保持部２６１とによって挟持されている。このように、各規定部２１０，２３０をボビン１８１及びハウジング構成体２６０，２８０によって挟持することにより、各規定部２１０，２３０の移動を簡素な構造により規制可能となっている。例えば、カシメや接着剤等の固定手段を用いることにより、規定部２１０，２３０を固定する構成と比較して、その組み付けに係る作業工程を簡略化することができる。
【０１２５】
本実施の形態においては、ハウジング構成体２６０，２８０の嵌合部２６３，２８４とボビン１８１の設置部１８７，１８８によって区画された空間に規定部２１０，２３０のフランジ部２２１，２４１が嵌まることによって、互いに相対位置のずれを規制し合っており、規定部２１０，２３０とボビン１８１及びハウジング構成体２６０，２８０とを完全に固着していない。このため、ソレノイド１１０の駆動に伴って、可動体１６０が往復動することにより両絞り部２１７，２３７に対して中心軸線Ｘに沿った方向への負荷が加わり、仮にその負荷等に基づいてハウジング構成体２６０，２８０が変形した場合であっても、それに起因して規定部２１０，２３０が歪む等の不都合が生じることを抑制できる。これにより、規定部２１０，２３０によるシャフト１６１のガイド機能を担保しやすくなっている。
【０１２６】
上述の如く規定部２１０、２３０とハウジング構成体２６０，２８０とが嵌合する構成においては、第１ハウジング構成体２６０及び第２ハウジング構成体２８０の相対位置のばらつきによる影響が規定部２１０，２３０に及び、第１規定部２１０の中心軸線Ｘ３と第２規定部２３０の中心軸線Ｘ４との同軸度が低下するが懸念される。このような不都合は、例えば両ハウジング構成体２６０，２８０の組み付けばらつきに起因して発生するずれが、規定部２１０，２３０を介してボビン１８１に伝わり、同ボビン１８１に対してねじれ等の応力が生じることにより発生すると想定される。この点、本実施の形態においては、両ハウジング構成体２６０，２８０の組み合わせ方向を、ソレノイド１１０の軸線方向と同方向となるように構成しているため、仮にそれら両ハウジング構成体２６０，２８０の組み付けがばらついたとしても、上述したような不都合を生じにくくし、両軸受け２１１，２３１の中心軸線Ｘ３，Ｘ４がずれることを抑制できる。すなわち、それら中心軸線Ｘ３，Ｘ４の同軸度の低下を抑えることが可能となっている。
【０１２７】
また、ハウジング構成体２６０等の各種構成の組み合わせ方向をソレノイド１１０の軸線方向と同一となるように揃えたことにより、ソレノイド１１０の組立作業の簡略化に貢献している。
【０１２８】
可動体１６０に対して当接することにより、同可動体１６０の軸線方向への移動を止める「ストッパ部」としての機能を規定部２１０，２３０に付与し、同規定部をボビン１８１やハウジング２５０とは別体で設けた。このように、可動体１６０の駆動に伴って負荷が加わりやすくなる部分を別体で設けることにより、摩耗や変形等に伴う部品交換を行う際に、他の周辺部品をリユースしやすくしている。
【０１２９】
また、規定部２１０，２３０には、上記「ストッパ部」としての絞り部２１７，２３７と、軸受け２１１，２３１を併せ有する構成とした。このように両者を近づけて配置することにより、可動体１６０と絞り部２１７，２３７とが当った際の、同可動体１６０のぶれを抑えやすくしている。
【０１３０】
第１ハウジング構成体２６０の保持部２６１と、第２ハウジング構成体２８０の保持部２８２とは、基部２８１，延出部２８６，当接部２６４及び皿ネジ２９６等を介して繋がっている。このため、両保持部２６１，２８２のうち一方に対してソレノイド１１０の軸線方向に負荷が加わった場合には、その負荷の一部は他方に伝達される。そして、その他方に当接しているボビン１８１等にその負荷の一部が伝わる。このように、規定部２１０，２３０とハウジング構成体２６０，２８０との当接部分（詳しくは嵌合部２６３，２８４）に加わった負荷をソレノイド１１０全体に分散して受けることにより、それら当接部分に負荷が集中することを抑制している。
【０１３１】
両保持部２６１，２８２は、ソレノイド１１０の中心軸線Ｘを挟んだ両側で繋がっている。このため、両保持部２６１，２８２のうち一方から他方に負荷が伝わることに伴って、ソレノイド１１０に対して曲げモーメントが発生することを抑制可能となっている。これにより、ボビン１８１や規定部２１０，２３０等の歪みを生じにくくしている。
【０１３２】
「ストッパ部」としての絞り部２１７，２３７を規定部２１０，２３０が有する構成においては、上記負荷が大きくなると、規定部２１０，２３０がハウジング２５０（詳しくは嵌合部２６３，２８４）から抜け落ちるといった不都合が生じ得る。この点、本実施の形態においては、上述の如く可動体１６０の駆動に伴って発生する負荷を、ソレノイド１１０の全体で分散して受ける構成としているため、そのような不都合の発生を好適に抑制可能となっている。
【０１３３】
なお、上述した実施の形態の記載内容に限定されず、例えば次のように実施してもよい。ちなみに、以下の別形態の構成を、上記実施の形態における構成に対して、個別に適用してもよく、相互に組み合わせて適用してもよい。
【０１３４】
（１）上記実施の形態では、第１規定部２１０が第１軸受け２１１及び第１ホルダ２１５を有する構成としたが、これに限定されるものではない。例えば、第１規定部２１０が第１ホルダ２１５を有さない構成としてもよい。このような変更を行った場合には、絞り部２１７に相当する構成をボビン１８１又は第１ハウジング構成体２６０に設けるとよい。第２規定部２３０についても同様に第２ホルダ２３５を省略することも可能である。
【０１３５】
（２）上記実施の形態では、ハウジング２５０を第１ハウジング構成体２６０及び第２ハウジング構成体２８０の２部品によって構成したが、ハウジングを構成する部材の数は２つに限定されるものではない。例えば、３つ以上の部品を用いてハウジングを構成することも可能である。但し、部品点数の増加は、ソレノイド１１０の組立作業の煩雑化を招来し得るとともに、ハウジングの強度の低下を招来しやすい。この点、上記実施の形態に示すように、ハウジング２５０を２つの部品によって構成することで、上述した各不都合の発生を抑え、実用上好ましい構成を実現できる。
【０１３６】
（３）上記実施の形態では、ソレノイド駆動部１７０とハウジング２５０とを一体化することにより各規定部２１０，２３０の取り外しを不可とする構成としたが、これを以下のように変更することも可能である。すなわち、各規定部２１０，２３０及びソレノイド駆動部１７０（詳しくはボビン１８１）を結合することにより、各規定部２１０，２３０の取り外しを不可とする構成としてもよい。例えば、ネジ等の締結具や接着剤等の固着手段を用いて結合してもよいし、カシメ等の結合方法を用いて結合してもよい。但し、このように、規定部２１０，２３０及びボビン１８１を完全に固定してしまうと、仮にボビン１８１にねじれ等が発生するとその影響が規定部２１０，２３０に及びやすくなると想定される。これは、可動体１６０のシャフト１６１との擦れが局所的に強まる要因となり、同シャフト１６１等の摩耗を促進し得るため好ましくない。故に、望ましくは、本実施の形態に示すように各規定部２１０，２３０及びソレノイド駆動部１７０とを結合しない構成とするとよい。
【０１３７】
（４）上記実施の形態では、ボビン１８１に凹状の設置部１８７，１８８を設けるとともに、規定部２１０，２３０に凸状のフランジ部２２１，２４１を設け、それら設置部１８７，１８８及びフランジ部２２１，２４１が嵌合することにより、各規定部２１０，２３０が設置される構成とした。これを以下のように変更してもよい。すなわち、ボビン１８１に凸状の設置部を設けるとともに、規定部２１０，２３０にそれら設置部に対応する凹状の取付部を設けてもよい。言い換えれば、設置部は凹状に限定されるものではなく任意であり、少なくとも規定部を所定の設置箇所に設置できる構成であれば足りる。
【０１３８】
（５）上記実施の形態では、軸受け２１１，２３１をボビン１８１における筒部１８２の外部に配置したが、これを変更し、軸受け２１１，２３１を筒部１８２の内部に配置することも可能である。但し、このような変更を行った場合には、両軸受けのスパンの確保が難しくなりやすい。これは、可動体１６０の直進安定性の向上を妨げる要因となり得るため好ましくない。故に、望ましくは、軸受け２１１，２３１は筒部１８２の外部に配置するとよい。
【０１３９】
（６）上記実施の形態では、規定部２１０，２３０がソレノイド駆動部１７０（くわしくはボビン１８１）及び各ハウジング構成体２６０，２８０によって挟持される構成としたがこれに限定されるものではない。規定部２１０，２３０は、ボビン１８１の設置部１８７，１８８に対して設置された状態からの移動（例えば取り外しや位置ずれ等）が規制されていればよく、ボビン１８１及び各ハウジング構成体２６０，２８０によって挟持される必要はない。
【０１４０】
（７）上記実施の形態では、各ハウジング構成体２６０，２８０に嵌合部２６３，２８４を設け、それら嵌合部２６３，２８４と規定部２１０，２３０のフランジ部２２１，２４１とが嵌合する構成とした。つまり、それら嵌合部２６３，２８４及びフランジ部２２１，２４１が嵌合することにより、可動体１６０の移動方向と交差する方向への規定部２１０，２３０及びハウジング構成体２６０，２８０の相対移動が規制される構成とした。これを以下のように変更してもよい。すなわち、ボビン１８１の設置部１８７，１８８からフランジ部２２１，２４１が突出しない構成とするとともに、嵌合部２６３，２８４を省略し、その代わりに規定部２１０，２３０及びハウジング構成体２６０，２８０の相対移動が規制する規制部を別途もうけてもよい。例えば、各ハウジング構成体２６０，２８０の挿通孔２６２，２８３が各規定部２１０，２３０の大径部２１８，２３８と嵌合することにより、上述した相対移動を規制する構成としてもよい。
【０１４１】
（８）上記実施の形態では、第１規定部２１０及び第２規定部２３０を有する構成としたが、これら両規定部２１０，２３０のうちいずれか一方を省略することも可能である。但し、このような変更を行う場合には、可動体１６０の動作を安定させるために、可動体１６０の軸線方向における軸受けとシャフト１６１との接触部分の長さを大きく設定する必要が生じ得る。これは、軸受けの精度の確保を難しくするとともに軸受けと可動体１６０との偏摩耗を促進させる要因となり得るため好ましくない。故に、望ましくは、規定部を複数有する構成とし、それら各規定部を離間して配置するとよい。
【０１４２】
（９）上記実施の形態では、ボビン１８１のフランジ部１８３，１８４に各規定部２１０，２３０を設置する設置部を設けたが、これに限定されるものではない。例えば、ボビンにおける筒部に設置部を設けることも可能である。
【０１４３】
（１０）上記実施の形態では、第１ハウジング構成体２６０及び第２ハウジング構成体２８０の組み合わせ方向がソレノイド駆動部１７０の軸線方向と同一となるように構成したが、第１ハウジング及び第２ハウジングの組み合わせ方向は任意である。例えば、図１５（ａ）に示すように、第１ハウジング３３０及び第２ハウジング３４０の組み合わせ方向がソレノイド駆動部１７０の中心軸線Ｘの放射方向（すなわち中心軸線Ｘと直交する方向）となる構成としてもよい。
【０１４４】
（１１）上記実施の形態では、軸受け２１１，２３１をホルダ２１５，２３５に圧入した状態でカシメ固定することにより、それら軸受け２１１，２３１をホルダ２１５，２３５を一体化する構成とした。これを変更し、それら両者を接着等の固着手段により一体化してもよいし、ホルダ２１５，２３５に対して合成樹脂材料を注入することにより一体的に成形してもよい。
【０１４５】
また、両ハウジング構成体２６０，２８０を皿ネジ２９６，２９７によって一体化したが、例えば溶接等によって一体化することも可能である。
【０１４６】
（１２）上記実施の形態では、第１ハウジング構成体２６０及び第２ハウジング構成体２８０を第１ハウジング構成体２６０が発射レール１２０側となるように配置したが、これに限定されるものではない。図１５（ｂ）に示すように、第１ハウジング構成体２６０及び第２ハウジング構成体２８０を第２ハウジング構成体２８０が発射レール１２０側となるように配置することも可能である。
【０１４７】
（１３）上記実施の形態では、コイルバネ１６９を第１規定部２１０及びボビン１８１によって区画された空間（詳しくは第１区画空間ＤＳ１）内に配置したが、これを変更し、コイルバネ１６９を第１規定部２１０及びボビン１８１によって区画された空間外に配置することも可能である。
【０１４８】
（１４）上記実施の形態では、軸受け２１１，２３１とボビン１８１とを別体で形成したが、これを変更し、軸受け２１１，２３１とボビン１８１とを一体成形してもよい。
【０１４９】
（１５）上記実施の形態では、第２ハウジング構成体２８０が対向部２８５を有する構成としたが、この対向部２８５を省略することも可能である。つまり、第１ハウジング２６０の保持部２６１と第２ハウジング２８０の保持部２８２とを繋ぐ部分が、ソレノイド１１０の中心軸線Ｘを挟んだ両側にある必要はなく。少なくともそれら保持部２６１，２８２が繋げる部分が設けられていればよい。
【０１５０】
（１６）上記実施の形態では、両ハウジング構成体２６０，２８０を皿ネジ２９６，２９７によって結合する構成としたが、これを以下のように変更してもよい。すなわち、それら両者を結合する「結合手段」は任意であり、例えば接着剤等を用いる構成としてもよいし、両者に相互に引っ掛かる係止部等を設け、それら係止部同士が引っ掛かることにより両ハウジング構成体２６０，２８０が一体化される構成を採用してもよい。
【０１５１】
（１７）上記実施の形態では、ハウジング２５０によってソレノイド駆動部１７０を囲む構成としたがこれに限定されるものではない。例えば、ハウジング２５０によってソレノイド駆動部１７０を囲うのではなく、別個独立して設けられて一組みのハウジング構成体によって同ソレノイド駆動部１７０の軸線方向両側から当該ソレノイド駆動部１７０を挟み、同ソレノイド駆動部１７０が中心軸線Ｘの放射方向に完全に露出する構成としてもよい。更には、ハウジングを箱状に形成し、その内部にソレノイド駆動部１７０を格納することにより同ソレノイド駆動部１７０の露出を回避する構成としてもよい。
【０１５２】
また、ソレノイド駆動部１７０の中心軸線Ｘを挟んだ両側にて第１ハウジング構成体２６０の保持部２６１と第２ハウジング構成体２８０の保持部２８２とを繋ぐように、基部２８１，対向部２８５等の各種構成を設けた。これを変更し中心軸線Ｘの片側でのみ、それら両保持部２６１，２８２が繋がる構成としてもよい。例えば、第２ハウジング構成体２８０の対向部２８５及び延出部２８７を省略してもよい。しかしながら、このような変更を行った場合には、第１ハウジング構成体２６０及び第２ハウジング構成体２８０が基部２８１側でのみ繋がる構成となるため、保持部２６１，２８２の一方に中心軸線Ｘに沿った負荷が加わると、同負荷は、曲げモーメントの発生を伴いつつ保持部２６１，２８２の他方に伝わることとなる。このような曲げモーメントの発生は、両ハウジング構成体２６０，２８０によって挟持されているソレノイド駆動部，可動体１６０及び各規定部２１０，２３０に対して歪み等を生じさせる要因となり得るため好ましくない。故に、好ましくは、中心軸線Ｘを挟んだ両側にて保持部２６１，２８２を繋ぐ構成とするとよい。
【０１５３】
（１８）上記実施の形態では、規定部２１０，２３０が「ストッパ部」としての絞り部２７１，２３７を有する構成としたが、「ストッパ部」を他の構成に移設することも可能である。例えば、ストッパ部に相当する部位を、ボビン１８１やハウジング構成体２６０，２８０に設けてもよい。但し、ストッパ部と軸受け２１１，２３１との距離が離れると、ストッパ部と可動体１６０とが当った際に可動体１６０がぶれやすくなり得る。このような可動体１６０のぶれは、軸受け２１１，２３１に加わる軸線方向以外の方向への力（負荷）が増加する要因となり得るため好ましくない。故に、上記実施の形態に示すように、規定部２１０，２３０が軸受け２１１，２３１及びストッパ部を併有する構成とすることが好ましい。
【０１５４】
（１９）上記実施の形態では、ハウジング２５０が、ソレノイド駆動部１７０や規定部２１０，２３０等の各種構成を搭載する機能と、磁気回路を形成する機能とを併せ有する構成としたが、搭載機能を有するハウジングと、磁気回路を形成する磁気回路構成体とを別個独立して設けてもよい。
【０１５５】
（２０）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０１５６】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０１５７】
特徴Ａ１．直線往復動が可能な可動体（可動体１６０）と、
通電されることにより磁界を形成し、前記可動体に動力を与えるコイル（励磁コイル１７１）、及び前記可動体が挿通される挿通部（筒部１８２の内部）を有し、その挿通部の外周に前記コイルが巻かれている本体（ボビン１８１）を備えた駆動部（例えばソレノイド駆動部１７０やハウジング２５０）と、
前記駆動部の外側に設けられ、同駆動部が取り付けられているハウジング（ハウジング２５０）と、
前記本体に設けられているとともに、前記可動体に対して当接するように形成されており、同可動体の移動方向を規定する規定部（規定部２１０，２３０）と
を備えていることを特徴とする遊技機。
【０１５８】
特徴Ａ１によれば、コイルを通電させることにより磁界を生じさせ、その磁界によって可動体を移動させる動力（例えば吸引力）を発生させることができる。例えば、可動体が移動する軌道上に遊技球を配置することにより、同可動体による遊技球の打ち出しを実現することができる。
【０１５９】
可動体の移動方向は規定部によって定められている。これにより、可動体が通過する軌道と駆動部（詳しくはコイル）との相対位置のずれを抑制することが可能となっている。本特徴においては特に、規定部を本体に設けた。例えば規定部を本体以外の部品（例えばハウジング等）に設けた場合と比較して、寸法公差等の累積に起因する挿通部の中心軸線と可動体の中心軸線との位置ばらつき（芯ずれや傾き等）を生じにくくすることができる。これにより、上述した動力が発生した場合に可動体が当該可動体の中心軸線と交差する方向に引き寄せられることを抑制し、コイルに供給される電力を有効活用することが可能となる。故に、例えば遊技球の発射効率を高めることができる。
【０１６０】
なお、「規定部」は、例えば筒状をなし、その内部に可動体が挿通される軸受け等によって構成するとよい。
【０１６１】
特徴Ａ２．直線往復動が可能な可動体（可動体１６０）と、
通電されることにより磁界を形成し、前記可動体に動力を与えるコイル（励磁コイル１７１）、及び前記可動体が挿通される挿通部（筒部１８２の内部）を有し、その挿通部の外周に前記コイルが巻かれている本体（ボビン１８１）を備えた駆動部（例えばソレノイド駆動部１７０やハウジング２５０）と、
前記駆動部の外側に設けられ、同駆動部が取り付けられているハウジング（ハウジング２５０）と、
前記可動体に対して当接するように形成されており、同可動体の移動方向を規定する規定部（規定部２１０，２３０）と
を備え、
前記規定部は、前記本体に対して一体化させて設けられているとともに、その一体化させている箇所において前記本体との間に前記ハウジングが介在しないように設けられていることを特徴とする遊技機。
【０１６２】
特徴Ａ２によれば、特徴Ａ１と同様の効果を奏する。すなわち、本体において規定部が設けられている部分では、本体及び規定部の間にハウジングが介在しなしようにして、それら本体及び規定部が一体化されている。例えば規定部を本体以外の部品（例えばハウジング等）に設けた場合と比較して、寸法公差等の累積に起因する挿通部の中心軸線と可動体の中心軸線との位置ばらつき（芯ずれや傾き等）を生じにくくすることができる。また、本体における規定部が設けられている部分にて本体及び規定部の間にハウジングが介在するようにそれら本体及び規定部を一体化している場合と比較した場合でも、同様の優位性が得られる。このように中心軸線同士の位置ずれを抑えることにより、上述した動力が発生した場合に可動体が当該可動体の中心軸線と交差する方向に引き寄せられることを抑制し、コイルに供給される電力を有効活用することが可能となる。故に、例えば遊技球の発射効率を高めることができる。
【０１６３】
なお、「規定部」は、例えば筒状をなし、その内部に可動体が挿通される軸受け等によって構成するとよい。
【０１６４】
因みに、「本体及び規定部が一体化されている」は、本体及び規定部が一体成形されていること、本体及び規定部が接着等の結合手段によって結合されていること、本体及び規定部が嵌合等することにより機構的に留まっていることを含む。
【０１６５】
特徴Ａ３．前記規定部は、前記挿通部の軸線方向において前記本体を挟んだ両側に配置されていることを特徴とするＡ１又はＡ２に記載の遊技機。
【０１６６】
特徴Ａ３によれば、可動体の移動を規定する部分の間隔を広げることが可能となる。これにより、少なくとも挿通部内における可動体の直進安定性を向上することができる。しかしながら、規定部を複数設け単に規定部分の間隔を広げた場合には、それら規定部分の相対位置にばらつきが生じやすくなると想定される。この点、特徴Ａ１等に示す構成を適用し各規定部を本体に設けることにより、それら両規定部の相対位置のずれを抑制でき、実用上好ましい構成を実現できる。
【０１６７】
特徴Ａ４．前記規定部は、前記本体とは別体で設けられており、
前記本体には、前記規定部を設置する設置部（設置部１８７，１８８）が設けられ、
前記規定部及び前記設置部は、一方が他方に嵌まることにより、前記挿通部の軸線方向とは異なる方向への前記本体及び前記規定部の相対移動が規制されるように構成されていることを特徴とするＡ１乃至Ａ３のいずれか１つに記載の遊技機。
【０１６８】
例えば規定部を本体に対して一体成形することにより上述した寸法公差等の累積を抑えることができる。しかしながら、規定部を本体に対して一体成形すると、規定部の寸法管理が難しくなったり、摩耗等に起因して規定部の交換等を行う場合に併せて駆動部の交換が必要となったりする。これは、製造工程の簡略化及び部品のリユース性向上の観点から好ましくない。
【０１６９】
この点、本特徴に示すように、規定部を本体と別体で設けることにより、上述した各種不都合を払拭することができる。また、規定部及び設置部は、一方が他方に嵌まることにより、挿通部の軸線方向とは異なる方向への本体及び規定部の相対移動が規制される。これにより、規定部を別体で設けたことに起因する組み付け作業の煩雑化を抑えつつ、駆動部（詳しくは本体）及び可動体（詳しくは通過軌道）の相対位置のずれを抑制でき、実用上好ましい構成を実現することが可能となる。
【０１７０】
特徴Ａ５．前記規定部は、前記本体とは別体で設けられており、
前記本体には、前記規定部を設置する設置部（設置部１８７，１８８）が設けられ、
前記設置部に設置された前記規定部は、前記ハウジングと前記駆動部とが一体化されることに基づいて、前記設置部からの移動が不可となるように構成されていることを特徴とするＡ１乃至Ａ３のいずれか１つに記載の遊技機。
【０１７１】
特徴Ａ１等に示したように、規定部を有する構成とした場合、可動体と駆動部との相対位置のばらつきを抑えることにより、磁気特性（動特性）を向上することができる。しかしながら、仮に規定部の固定作業等を必要とすれば、組立工程の煩雑化を招く要因となり得るため好ましくない。この点、本特徴によれば、ハウジング及び本体の一体化作業（例えば固定作業）と規定部の移動を規制する作業とをまとめることにより、組立工程の簡素化に貢献できる。つまり、磁気特性の向上を図りつつ、組立作業の効率化を実現することができる。
【０１７２】
なお、本特徴を特徴Ａ４に適用することも可能である。このように特徴Ａ４と組み合わせた場合、本特徴を「前記規定部は、前記本体とは別体で設けられており、前記本体には、前記規定部を設置する設置部（設置部１８７，１８８）が設けられ、前記規定部及び前記設置部は、一方が他方に嵌まることにより、前記挿通部の軸線方向とは異なる方向への前記本体及び前記規定部の相対移動が規制されるように構成されており、前記設置部に設置された前記規定部は、前記ハウジングと前記駆動部とが一体化されることに基づいて前記設置部からの移動が不可となるように構成されていることを特徴とするＡ１乃至Ａ３のいずれか１つに記載の遊技機」と置き換えることも可能である。
【０１７３】
特徴Ａ６．前記規定部は、前記本体及び前記ハウジングによって挟まれた状態で保持されていることを特徴とするＡ４又はＡ５に記載の遊技機。
【０１７４】
特徴Ａ４及びＡ５に示した構成を実現するには、本特徴に示す本体及びハウジングによって規定部を挟持するとよい。これにより、実用上好ましい構成を実現できる。
【０１７５】
特徴Ａ７．前記規定部は、前記本体及び前記ハウジングに対して別体で設けられているとともに、前記挿通部の軸線方向において前記本体を挟んだ両側にそれぞれ個別に配置されており、
前記ハウジングは、前記挿通部の軸線方向において前記本体を両側から挟むように設けられており、
前記各規定部は、前記本体と前記ハウジングとによって挟まれた状態で保持されていることを特徴とするＡ１乃至Ａ６のいずれか１つに記載の遊技機。
【０１７６】
例えば規定部を本体に対して一体成形することにより上述した寸法公差等の累積を抑えることができる。しかしながら、規定部を本体に対して一体成形すると、規定部の寸法管理が難しくなったり、摩耗等に起因して規定部の交換等を行う場合に併せて駆動部の交換が必要となったりする。これは、製造工程の簡略化及び部品のリユース性向上の観点から好ましくない。この点、本特徴に示すように、規定部を本体と別体で設けることにより、上述した各種不都合を払拭することができる。
【０１７７】
また、一対の規定部を本体の両側に配置することにより、可動体の直進安定性を担保しやすくできる。しかしながら、このように規定部を複数備えた構成を採用することにより、個々の規定部を本体に対して取り付ける作業が煩雑化すると懸念される。この点、本特徴によれば、本体及びハウジングを取り付けることにより、各規定部がそれら本体及びハウジングによって挟まれた状態で保持される（挟持される）こととなる。これにより、上述した不都合を払拭することができ、実用上好ましい構成を実現できる。
【０１７８】
特徴Ａ８．前記設置部は、前記本体における一側部に配されているとともに、前記可動体の移動方向に凹む凹状をなし、
前記ハウジングにおいて、前記設置部と対向している部分には、前記設置部とは反対側に凹む凹部（嵌合部２６３，２６４）が設けられており、
前記規定部は、それら設置部及び凹部によって区画された空間に嵌まる嵌合部（フランジ部２２１，２４１）を有し、
前記嵌合部は、前記設置部及び前記凹部に対して嵌合することによって、前記可動体の移動方向とは異なる方向への前記規定部と前記本体及び前記ハウジングとの相対移動が規制されるように形成されていることを特徴とするＡ４乃至Ａ７のいずれか１つに記載の遊技機。
【０１７９】
特徴Ａ８によれば、設置部及び凹部によって区画された空間に嵌合部が嵌まることにより、本体及び規定部の相対移動が規制されるとともに、ハウジング及び規定部の相対移動が規制される。このように、各種構成の相対移動が嵌合部との嵌め合いによって回避されることにより、可動体の往復動に基づいて発生する振動等により、上記各種構成の相対位置がずれることを抑制できる。これにより、安定したストロークを実現するともに、可動体や軸受け等に発生する負荷を低減し、動作寿命の延ばすことができる。
【０１８０】
また、仮にハウジングによってコイルに発生した磁界を通す磁気回路を構成する場合には、ハウジングと可動体及び本体（詳しくはコイル）との位置ずれを抑えることにより、磁気特性（動特性）を向上することができる。これにより、コイルに供給する電力を可動体の駆動力として効率よく活用することが可能となり、例えば可動体によって遊技球の打ち出しを行う場合には、その発射効率を向上することができる。
【０１８１】
特徴Ａ９．前記ハウジングは、前記各規定部に対応して個別に設けられた一対のハウジング構成体（第１ハウジング構成体２６０及び第２ハウジング構成体２８０）を有しており、
前記各規定部は、前記各ハウジング構成体と前記本体との間に挟まれた状態で保持されており、
前記両ハウジング構成体は、それらハウジング構成体の組み合わせ方向が前記挿通部の軸線方向と同一となるように構成されていることを特徴とするＡ７に記載の遊技機。
【０１８２】
ハウジング構成体を組み合わせることにより、本体及び規定部を挟み込む構成においては、可動体の移動方向とハウジングの組み合わせ方向とを揃えることにより、組み立て作業の煩雑化を抑制できる。
【０１８３】
また、仮に１のハウジング構成体によって本体及び両規定部を挟持しようとすれば、規定部や本体の累積寸法公差及びハウジングの寸法公差のばらつきや、ハウジングのひずみ等を許容しにくくなる。つまり、上述したひずみ等による影響が本体や規定部に及び、各規定部の相対位置がずれたり、規定部と本体との相対位置がばらついたりするといった不都合が生じ得る。このため、ハウジング及び本体によって規定部を挟み込んで保持する構成においては、保持精度の確保が困難なものとなり得る。この点、ハウジング構成体を可動体の移動方向における両側から組み合わせる構成とすることにより、それら両ハウジング構成体を組み合わせる際に両ハウジング構成体の相対位置を補正することが可能となる。これにより、可動体の直進安定性を担保しつつ、上述した寸法公差等のばらつきやひずみ等を許容しやすくでき、実用上好ましい構成を実現できる。
【０１８４】
特徴Ａ１０．前記ハウジングは、前記各規定部に対応して個別に設けられた一対のハウジング構成体（第１ハウジング構成体２６０及び第２ハウジング構成体２８０）を有しており、
前記両ハウジング構成体を結合するネジ（皿ネジ２９６，２９７）を備え、
前記ネジの取付方向は、前記挿通部の軸線方向に対して異なる方向となるように設定されていることを特徴とするＡ７又はＡ９に記載の遊技機。
【０１８５】
特徴Ａ１０によれば、挿通部の軸線方向とネジの取付方向とが異なっている。このため、仮に可動体を駆動することにより前記軸線方向と同じ方向への揺れや振動が発生した場合であっても、それら揺れ等によってネジが緩むことを抑制することができる。これにより、特徴Ａ９等に示した構成を好適に実現できる。すなわち、複数のハウジング構成体を組み合わせることに基づき同ハウジング構成体と本体とで規定部を挟持する構成を採用した場合であっても、それらハウジング構成体及び本体による規定部の挟持機能を担保しやすくできる。
【０１８６】
特徴Ｂ１．直線往復動が可能な可動体（可動体１６０）と、
通電されることにより磁界を形成し、前記可動体に動力を与えるコイル（励磁コイル１７１）、及び前記可動体が挿通される挿通部（筒部１８２の内部）を有し、その挿通部の外周に前記コイルが巻かれている本体（ボビン１８１）を備えた駆動部（例えばソレノイド駆動部１７０やハウジング２５０）と、
前記駆動部の外側に設けられ、同駆動部が取り付けられているハウジング（ハウジング２５０）と、
前記可動体に対して当接するように形成され、同可動体の移動方向を規定する規定部（規定部２１０，２３０）と
を備え、
前記規定部は、前記本体及び前記ハウジングによって挟まれた状態で保持されていることを特徴とする遊技機。
【０１８７】
特徴Ｂ１によれば、コイルを通電させることにより磁界を生じさせ、その磁界によって可動体を移動させる動力（例えば吸引力）を発生させることができる。例えば、可動体が移動する軌道上に遊技球を配置することにより、同可動体による遊技球の打ち出しを実現することができる。また、可動体の移動方向は規定部によって定められている。これにより、可動体が通過する軌道と駆動部（詳しくはコイル）との相対位置のずれを抑制することが可能となっている。
【０１８８】
可動体が往復動すると、駆動部やハウジング等が振動することに基づく負荷等が発生すると想定される。仮に本体やハウジング等に対して規定部を結合する構成を採用した場合、上述した負荷によって本体部やハウジングに変位（変形や位置ずれ）等が発生するとその影響が規定部に及びやすくなると想定される。これは、可動体の直進安定性を担保する観点から好ましくないと考えられる。この点、本特徴によれば、規定部を本体等に結合するのではなく、本体及びハウジングによって挟持する構成としているため、規定部に対して上述したような影響が及ぶことを抑制しやすくできる。これにより、規定部に対して歪み等が生じることを抑制し、可動体が移動する際の効率を担保しやすくできる。故に、例えば遊技球の発射効率を高めることが可能となる。
【０１８９】
なお、「規定部」は、例えば筒状をなし、その内部に可動体が挿通される軸受け等によって構成するとよい。
【０１９０】
特徴Ｂ２．前記規定部は、前記挿通部の軸線方向において前記本体を挟んだ両側にそれぞれ配置されており、
前記ハウジングは、前記挿通部の軸線方向において前記本体を挟むように形成されており、
前記各規定部は、前記本体及び前記ハウジングによって挟まれた状態で保持されていることを特徴とするＢ１に記載の遊技機。
【０１９１】
特徴Ｂ２によれば、可動体の移動を規定する部分の間隔を広げることが可能となる。これにより、少なくとも挿通部内における可動体の直進安定性を向上することができる。
【０１９２】
また、可動体が往復動する構成においては、いずれの規制部においても上述したような負荷による影響を受けやすいと想定される。複数の規定部を有する構成においては、上述の如く直進安定性を高めることができる反面、それら規定部の相対位置が変わることに起因して可動体の動作に伴う抵抗が高まりやすくなると想定される。この点、特徴Ｂ１との組み合わせにより各規定部を挟持する構成とよることによって、それら各規定部の相対位置の変位を抑えやすくでき実用上好ましい構成の実現に貢献できる。
【０１９３】
また、複数の規定部を有する構成を採用した場合には、上述したような優れた効果を享受できる反面、それら各規定部の取り外しを個々に規制する作業等が必要となり、同作業が煩雑化すると懸念される。この点、ハウジング及び本体によって、両規定部を挟持する構成とすることにより、それら規定部の取り外しを規制する作業を簡略化することができ、上述した不都合を払拭することができる。
【０１９４】
特徴Ｂ３．前記ハウジングは、前記各規定部に対応して個別に設けられた一対のハウジング構成体（第１ハウジング構成体２６０及び第２ハウジング構成体２８０）を有しており、
前記各規定部は、前記各ハウジング構成体と前記本体との間に挟まれた状態で保持されていることを特徴とするＢ２に記載の遊技機。
【０１９５】
仮に１のハウジング構成体によって本体の両側に設けられた規定部を同本体との間に挟んだ状態で保持する構成を採用すると以下の不都合が生じやすくなると想定される。すなわち、ハウジングの寸法公差，本体の寸法公差及び各規定部の寸法公差の累積に起因して、ハウジングと規定部とが支えて同ハウジングの取り付けが困難なものとなったり、ハウジング及び本体によって規定部を挟み込んで保持する構成においてその保持精度の確保が困難なものとなったりすると想定される。この点、本特徴に示すように、ハウジングを一対のハウジング構成体によって構成することにより、各ハウジング構成体を取り付ける際に、累積された上記寸法公差のばらつきを許容し、上述したような不都合を生じにくくできる。つまり、ハウジングの取付作業の容易化を図りつつ、規定部の挟持機能を担保しやすくできる。
【０１９６】
特徴Ｂ４．前記両ハウジング構成体は、それらハウジング構成体の組み合わせ方向が前記挿通部の軸線方向と同一となるように構成されていることを特徴とするＢ３に記載の遊技機。
【０１９７】
ハウジング構成体を組み合わせることにより、駆動部及び規定部を挟み込む構成においては、可動体の移動方向とハウジングの組み合わせ方向とを揃えることにより、組み立て作業の煩雑化を抑制できる。
【０１９８】
また特徴Ｂ３に示した効果を一層顕著なものとすることができる。つまり、ハウジング構成体を可動体の移動方向における両側から組み合わせる構成とすることにより、それら両ハウジング構成体を組み合わせる際に両ハウジング構成体の相対位置を累積寸法公差のばらつきに応じて補正することが一層容易となる。これにより、可動体の直進安定性を担保しつつ、上述した寸法公差等のばらつき等を更に許容しやすくでき、実用上好ましい構成を実現できる。
【０１９９】
特徴Ｂ５．前記各ハウジング構成体を結合する結合手段（皿ネジ２９６，２９７等）を備えていることを特徴とするＢ４に記載の遊技機。
【０２００】
特徴Ｂ５に示すように、ハウジング構成体同士を結合させることにより、例えば各ハウジング構成体を他の部品等に対して個々に結合する構成を採用した場合と比較して、それらハウジング構成体の相対位置が可動体の移動方向以外の方向にずれることを抑制しやすくできる。
【０２０１】
また、可動体の往復動によって振動等が発生すると、その振動に基づく負荷が本体，各規定部及び各ハウジング構成体に及ぶと考えられる。特に、そのような負荷においては、可動体の移動方向（すなわち挿通部材の軸線方向）と同じ方向の成分が大きくなりやすいと想定される。この成分によって、本体，各規定部及び各ハウジング構成体の少なくともいずれかが位置ずれすると、それら各種構成の相対位置が上記方向にばらつきやすくなり得る。そのような相対位置のばらつきは、本体及びハウジング構成体による規定部の挟持機能の低下を招来し、可動体の安定したストロークを妨げる要因となり得るため好ましくない。
【０２０２】
この点、本特徴においては、各ハウジング構成体同士が結合手段によって結合されることにより、各種構成の相対位置のばらつきを好適に抑制し、挟持機能を担保しやすくしている。以下便宜上、負荷の加わる方向における先側に配されている規定部及びハウジング構成体を、それぞれ第１規定部及び第１ハウジング構成体と称し、他方を第２規定部及び第２ハウジング構成体と称し、具体的な作用について説明する。仮に上記移動方向における片側に向けた負荷が本体や第１規定部に加わった場合、その負荷の少なくとも一部が同第１規定部を介して第１ハウジング構成体に伝わる。そして第１ハウジング構成体に伝わった負荷の少なくとも一部は、結合手段を介して第２ハウジング構成体に伝わる。仮に、本体や第１規定部が負荷の加わった方向に変位した場合には、それに追従して第１ハウジング構成体及び第２ハウジング構成体が同方向に変位する。第２ハウジングが同方向に変位することにより、第２規定部が同方向に押されることとなる。このように、本体，各規定部及び各ハウジング構成体が同方向へ一体的に変位することで、第１規定部側における、同第１規定部，本体及び第１ハウジング構成体の相対位置のばらつきが抑制されるのみならず、第２規定部側における、同第２規定部，本体及び第２ハウジング構成体の相対位置のばらつきも抑制される。また、上述した負荷とは逆向きの負荷が本体等に加わった場合であっても同様に第１規定部側での上記各種構成の相対位置のばらつき、及び第２規定部側での上記各種構成の相対位置のばらつきが抑制される。これにより、挟持機能を担保し、可動体の安定した往復動の実現に貢献できる。また、上述した負荷を各種構成に分散することが可能となり、局所的に負荷が集中することを抑制できる。
【０２０３】
特徴Ｂ６．前記両ハウジング構成体は、前記結合手段により前記挿通部の中心軸線を挟んだ両側にて結合されていることを特徴とするＢ５に記載の遊技機。
【０２０４】
可動体の往復動に基づいて発生する負荷（例えば上記振動に起因した負荷）を、両ハウジング構成体にて共有する構成を採用した場合、力（負荷）の伝達経路によっては、駆動部，規定部及びハウジングの各種構成を歪ませるような曲げモーメントが生じる可能性がある。詳しくは、ハウジングが駆動部の外側に配置されているため、力の伝達経路が挿通部の中心軸線から離れることとなる。このため、力の伝達に基づいて曲げモーメントが発生しやすくなると想定される。このような曲げモーメントの発生は、可動体の直進安定性を阻害する要因となり得るため好ましくない。この点、本特徴に示すように、挿通部の中心軸線を挟んだ両側にて両ハウジング構成体を結合することにより、曲げモーメントの発生を抑制しやすく、又は曲げモーメントによる影響が本体や規定部等に及びにくくすることができる。
【０２０５】
なお、「結合手段」として、例えばネジ等の締結具，嵌め合い等の結合構造，溶接等の結合手法を用いるとよい。
【０２０６】
特徴Ｂ７．前記両ハウジング構成体を結合するネジ（皿ネジ２９６，２９７）を備え、
前記ネジの取付方向は、前記挿通部の軸線方向に対して異なる方向となるように設定されていることを特徴とするＢ３乃至Ｂ６のいずれか１つに記載の遊技機。
【０２０７】
特徴Ｂ７によれば、挿通部の軸線方向とネジの取付方向とが異なっている。このため、仮に可動体を駆動することにより前記軸線方向と同じ方向への揺れや振動が発生した場合であっても、それら揺れ等によってネジが緩むことを抑制することができる。また仮にネジが緩んだ場合であっても、挿通部の軸線方向における両ハウジング構成体の相対位置が変化することを抑制できる。これにより、特徴Ｂ４等に示した構成を好適に実現できる。すなわち、複数のハウジング構成体を組み合わせることに基づき同ハウジング構成体と本体とで規定部を挟持する構成を採用した場合であっても、それらハウジング構成体及び本体による規定部の挟持機能を担保しやすくできる。
【０２０８】
なお、特徴Ｂ５又は特徴Ｂ６との組み合わせにおいては、本特徴に示す「ネジ」と特徴Ｂ５に示す「結合手段」とを置き換えてもよい。
【０２０９】
特徴Ｂ８．前記ハウジングに対して当該ハウジングを前記挿通孔の軸線方向に押す力が加わった場合に、その力を前記本体に伝える伝達部（例えば基部２８１や皿ネジ２９６等）を有していることを特徴とするＢ１乃至Ｂ７のいずれか１つに記載の遊技機。
【０２１０】
可動体の往復動によって振動等が発生すると、その振動に基づく負荷が本体，各規定部及びハウジングに及ぶと考えられる。特に、そのような負荷においては、可動体の移動方向（すなわち挿通部材の軸線方向）と同じ方向の成分が大きくなりやすいと想定される。この成分によって、本体，各規定部及びハウジングの少なくともいずれかが位置ずれすると、それら各種構成の相対位置が上記方向にばらつきやすくなり得る。そのような相対位置のばらつきは、本体及びハウジングによる規定部の挟持機能の低下を招来し、可動体の安定したストロークを妨げる要因となり得るため好ましくない。
【０２１１】
この点、本特徴においては、ハウジングに加わった力（負荷）が伝達手段によって、本体に伝わることとなる。これにより、各種構成の相対位置のばらつきを好適に抑制し、挟持機能を担保しやすくしている。具体的には、仮に上記負荷が規定部に加わった場合、その負荷の少なくとも一部が同規定部を介してハウジングに伝わる。そしてハウジングに伝わった負荷の少なくとも一部は、伝達部を介して本体に伝わる。仮に、ハウジングや規定部が負荷の加わった方向に変位した場合には、それに追従して本体も同方向に変位する。このように、本体，各規定部及び各ハウジングが同方向へ一体的に変位することで、規定部，本体及びハウジングの相対位置のばらつきが抑制される。これにより、挟持機能を担保し、可動体の安定した往復動の実現に貢献できる。また、上述した負荷を各種構成に分散することが可能となり、局所的に負荷が集中することを抑制できる。
【０２１２】
例えば、ハウジングを、挿通部の軸線方向における両側から本体を挟むように形成し、同ハウジングを、本体に対して、挿通部の軸線方向において当該ハウジングが規定部に当接している側とは反対から当接させるとよい。
【０２１３】
特徴Ｂ９．前記ハウジングは、
前記各規定部に対して前記挿通部の軸線方向における外側から当接する一対の当接部（保持部２６１，２８２）と、
前記両当接部の相対位置が変わらないように、それら当接部を繋ぐ連結部（基部２８１
や皿ネジ２９６等）と
を備えていることを特徴とするＢ２に記載の遊技機。
【０２１４】
特徴Ｂ９によれば、特徴Ｂ５と同様の効果を奏する。以下便宜上、負荷の加わる方向における先側に配されている規定部及び当接部を、それぞれ第１規定部及び第１当接部と称するとともに、他方を第２規定部及び第２当接部と称し、簡単に説明する。仮に上記負荷が本体や第１規定部に加わった場合、その負荷の少なくとも一部が同第１規定部を介して第１当接部に伝わる。そして第１当接部に伝わった負荷の少なくとも一部は、連結部を介して第２当接部に伝わる。仮に、本体や第１規定部が負荷の加わった方向に変位した場合には、それに追従して両当接部及び連結部が同方向に変位する。第２当接部が同方向に変位することにより、第２規定部が同方向に押されることとなる。このように、本体，各規定部及び各当接部が同方向へ一体的に変位することで、第１規定部側における、同第１規定部，本体及び第１当接部の相対位置のばらつきが抑制されるのみならず、第２規定部側における、同第２規定部，本体及び第２当接部の相対位置のばらつきも抑制される。また、上述した負荷とは逆向きの負荷が本体等に加わった場合であっても同様に第１規定部側での上記各種構成の相対位置のばらつき、及び第２規定部側での上記各種構成の相対位置のばらつきが抑制される。これにより、挟持機能を担保し、可動体の安定した往復動の実現に貢献できる。また、上述した負荷を各種構成に分散することが可能となり、局所的に負荷が集中することを抑制できる。
【０２１５】
また、特徴Ｂ６に示した技術的思想を本特徴に適用し、「前記連結部は、前記挿通部の中心軸線を挟んだ両側に設けられていることを特徴とするＢ９に記載の遊技機」とすることも可能である。この場合、例えば、ハウジングによって駆動部（本体）を囲む構成とするとよい。
【０２１６】
なお、本特徴における「連結部」及び「当接部」の一方は、「当接部」の他方に対して上記特徴Ｂ８に示した「伝達部」の少なくとも一部を構成しているとも言える。
【０２１７】
特徴Ｂ１０．前記本体における一側部には、前記可動体の移動方向に凹む本体側凹部（設置部１８７，１８８）が設けられており、
前記ハウジングにおいて、前記本体側凹部と対向している部分には、同本体側凹部とは反対側に凹むハウジング側凹部（嵌合部２６３，２８４）が設けられており、
前記規定部は、それら本体側凹部及びハウジング側凹部によって区画された空間に嵌まる嵌合部（フランジ部２２１，２４１）を有し、
前記嵌合部は、前記本体側凹部及び前記ハウジング側凹部と嵌合することによって、前記可動体の移動方向とは異なる方向への前記規定部と前記本体及び前記ハウジングとの相対移動が規制されるように形成されていることを特徴とするＢ１乃至Ｂ９のいずれか１つに記載の遊技機。
【０２１８】
特徴Ｂ１０によれば、本体側凹部及びハウジング側凹部によって区画された空間に嵌合部が嵌まることにより、本体及び規定部の相対移動が規制されるとともに、ハウジング及び規定部の相対移動が規制される。このように、各種構成の相対移動が嵌合部との嵌め合いによって回避されることにより、可動体の往復動に基づいて発生する振動等により、上記各種構成の相対位置がずれることを抑制できる。これにより、安定したストロークを実現するともに、可動体や軸受け等に発生する負荷を低減し、動作寿命の延ばすことができる。
【０２１９】
また、特徴Ｂ３〜特徴Ｂ６との組み合わせにおいては特に、本体，規定部及びハウジングは相互に結合されているものではなく、それら各種構成が互いに嵌まり合って留まっており、可動体の移動方向以外の方向への相対移動をその嵌まり合いによって規制している。このため、仮に、移動方向に大きな負荷が加わった場合であっても、同可動体の移動方向への相対移動は許容されやすくなっている。つまり、仮に上述した負荷によってハウジングや本体の歪み等が発生した場合であっても、そのような歪みによる影響が規定部に及ぶことを抑制することができる。これにより、可動体や軸受け等に発生する負荷を低減し、動作寿命の延ばすことが可能となっている。
【０２２０】
特徴Ｂ１１．前記ハウジング及び前記本体の少なくとも一方には、前記規定部を設置する設置部（１８７，１８８）が形成されており、
前記規定部は、前記ハウジングと前記駆動部とが一体化されることに基づいて、前記設置部からの移動が不可となるように構成されていることを特徴とするＢ１乃至Ｂ１０のいずれか１つに記載の遊技機。
【０２２１】
特徴Ｂ１１によれば、規定部を設置する設置部を設けることにより、規定部を別体で設ける構成において同規定部の位置決め精度を向上することができる。これにより、作業ばらつき等に起因する、可動体及び駆動部の相対位置のずれを好適に抑制することができる。なお、望ましくは設置部を少なくとも本体に形成する構成を採用するとよい。
【０２２２】
また、規定部を有する構成を採用した場合、可動体の直進安定性を向上できる反面、同規定部を取り付けるための別途作業が必要になると想定される。これは製造工程の煩雑化を招来し得るため好ましくない。この点、本特徴においては、規定部は、本体及びハウジングが一体化されることにより、それら本体及びハウジングによって挟まれた状態で保持されることとなる。つまり、駆動部をハウジングに対して取り付けることにより、規定部の固定作業を必要とすることなく当該規定部の取り外しを不可とすることができる。これにより、製造工程の煩雑化を好適に抑制できる。
【０２２３】
特徴Ｃ１．直線往復動が可能な可動体（可動体１６０）と、
通電されることにより磁界を形成し、前記可動体に動力を与えるコイル（励磁コイル１７１）、及び前記可動体が挿通される挿通部（筒部１８２の内部）を有し、その挿通部の外周に前記コイルが巻かれている本体（ボビン１８１）を備えた駆動部（例えばソレノイド駆動部１７０やハウジング２５０）と、
前記可動体の動作軌道上の特定位置に配置され、前記可動体に対して当接することにより同可動体のそれ以上の移動を規制するストッパ部（規定部２１０，２３０）と、
前記特定位置に配置されている前記ストッパに対して、前記ストッパに向けての前記可動体の移動方向における先側から当接することにより、前記ストッパを支持する支持部（例えば保持部２６１，２８２）と、
前記駆動部の外部に設けられているとともに、前記前記可動体と前記ストッパ部とが当接し同ストッパ部を同可動体の移動方向へ押す力が発生した場合にその力を前記支持部以外の部位に伝える伝達部（例えば基部２８１や皿ネジ２９６等）と
を備えていることを特徴とする遊技機。
【０２２４】
特徴Ｃ１によれば、コイルを通電させることにより磁界を生じさせ、その磁界によって可動体を移動させる動力（例えば吸引力）を発生させることができる。例えば、可動体が移動する軌道上に遊技球を配置することにより、同可動体による遊技球の打ち出しを実現することができる。また、可動体が往復動する場合に、当該可動体とストッパ部とが当接することに基づいて同可動体のそれ以上の移動が規制される。ストッパ部は可動体と衝突することによる衝撃を受けやすい部分である。このように衝撃を受けやすい部分を別体で設けることで、メンテナンス性の向上や消耗部品を交換することによるリユース性の向上を図っている。
【０２２５】
可動体とストッパ部とが当たることで発生する衝撃等の負荷は、ストッパ部を可動体の移動方向における先側から支持している支持部に伝わる。ストッパ部を別体で設けた場合、上述した各種利点を享受できる反面、支持部に対して負荷が集中し当該支持部の変形等を招来しやすくなると想定される。これは、支持部からのストッパ部の抜け落ち等の機能不全を招く要因となり得るため好ましくない。
【０２２６】
本特徴においては、上述した負荷の一部が伝達部によって支持部以外の部位に伝えられることとなる。つまり、ストッパ部や支持部に加わる負荷の一部をそれ以外の部位で受けることが可能となる。このように、負荷を各種構成に分散することにより、ストッパ部や支持部に負荷が集中することを回避することができる。これにより、ストッパ部の抜け落ち等の不都合が発生することを抑制でき、動作寿命を延ばすことができる。また、上述の如く負荷を分散することにより、ストッパ部や支持部における歪み等の発生を抑えることができる。これにより、可動体とストッパとが当たった際に可動体に対して、軸線方向とは異なる向きの反力が加わることを抑制できる。故に、コイル（挿通部）の中心軸線と可動体の中心軸線との位置ばらつき（芯ずれや傾き等）を抑え、同可動体の安定したストロークを実現できる。
【０２２７】
特徴Ｃ２．前記伝達部は、前記前記可動体及び前記ストッパ部が当接することにより発生する前記力を、前記本体に伝えるものであることを特徴とするＣ１に記載の遊技機。
【０２２８】
特徴Ｃ２によれば、可動体及びストッパ部が当接することにより発生した力（負荷）は、伝達部を介して本体に伝えられる。本体は、上述の如く可動体を駆動させる機能を有している。このような構成に対して上記負荷を分散させる機能の一部を付与することで、構造の簡素化を図りつつ、集中負荷の発生を回避することができ、実用上好ましい構成を実現できる。
【０２２９】
特徴Ｃ３．前記本体には、前記ストッパに向けての前記可動体の移動する側とは反対を向くように形成され、前記伝達部を介して伝わった力を受ける受け面（例えばフランジ部１８３，１８４の外面１８３ａ，１８４ａ）が設けられていることを特徴とするＣ１又はＣ２に記載の遊技機。
【０２３０】
特徴Ｃ３によれば、特徴Ｃ２に示した同様の効果を奏する。すなわち、ストッパ部が支持部に当たることによって発生した力（負荷）は、伝達部を介して本体（詳しくは受け面）に伝えられる。これにより、本体によって上記力の一部を受けたり、同本体を介して更に他の部材等に力を伝達したりすることが可能となる。故に、構造の簡素化を図りつつ、集中負荷の発生を回避することができ、実用上好ましい構成を実現できる。
【０２３１】
特徴Ｃ４．前記駆動部を前記挿通孔の軸線方向における両側から挟むように設けられているとともに、前記支持部及び前記伝達部を有するハウジング（ハウジング２５０）を備え、
さらに、前記ハウジングは、前記本体に対して、前記支持部とは反対側から当接するように形成された当接部（例えば保持部２６１）を備えており、
前記伝達部は、それら支持部及び当接部を繋いでいることを特徴とするＣ１乃至Ｃ３のいずれか１つに記載の遊技機。
【０２３２】
特徴Ｃ４によれば、ストッパ部から支持部に伝わった力の少なくとも一部は、伝達部を介して当接部に伝えられる。当接部は本体に対して支持部とは反対側から当接するように形成されているため、同当接部に伝わった力の一部は本体に伝わることとなる。本体に伝わった力を同本体によって受けたり、さらに他の部材に伝えたりすることにより、上記特徴Ｃ１等に示した構成を好適に実現することができる。
【０２３３】
特徴Ｃ５．前記伝達部は、前記挿通部の中心軸線を挟んだ両側に配置されており、
前記支持部及び前記当接部は、前記伝達部によって、前記挿通部の中心軸線を挟んだ両側にて繋がれていることを特徴とするＣ４に記載の遊技機。
【０２３４】
ストッパ部に加わる負荷を、駆動部及びハウジングの各種構成によって分散して受ける構成を採用した場合、力の伝達経路によっては、それら各種構成を歪ませるように曲げモーメントが生じる可能性がある。詳しくは、ハウジングが駆動部の外側に配置されているため、力の伝達経路が挿通部の中心軸線から離れることとなる。このため、力の伝達に基づいて曲げモーメントが発生しやすくなると想定される。このような曲げモーメントの発生は、可動体の直進安定性を阻害する要因となり得るため好ましくない。この点、本特徴に示すように、挿通部の中心軸線を挟んだ両側にて支持部及び当接部を繋ぐ構成とすることにより、曲げモーメントの発生を抑制しやすく、又は曲げモーメントの本体等への影響を抑えやすくすることができる。
【０２３５】
特徴Ｃ６．直線往復動が可能な可動体（可動体１６０）と、
通電されることにより磁界を形成し、前記可動体に動力を与えるコイル（励磁コイル１７１）、及び前記可動体が挿通される挿通部（筒部１８２の内部）を有し、その挿通部の外周に前記コイルが巻かれている本体（ボビン１８１）を備えた駆動部（例えばソレノイド駆動部１７０やハウジング２５０）と、
前記可動体の動作軌道上に配置され、前記可動体に対して当接することにより同可動体の一方への移動を規制する第１ストッパ部（規定部２１０）と、
前記可動体の動作軌道上に配置され、前記可動体に対して当接することにより同可動体の他方への移動を規制する第２ストッパ部（規定部２３０）と、
前記駆動部を前記駆動部の軸線方向における両側から挟むように設けられているとともに、同駆動部が取り付けられるハウジング（ハウジング２５０）と
を備え、
前記ハウジングは、
前記本体の一端に対して外側から当接しているとともに、前記第１ストッパに対して、当該第１ストッパに向けての前記可動体の移動方向における先側から当接している第１当接部（保持部２８２）と、
前記本体の他端に対して外側から当接しているとともに、前記第２ストッパに対して、当該第２ストッパに向けての前記可動体の移動方向における先側から当接している第２当接部（保持部２６１）と、
前記第１当接部及び前記第２当接部を繋ぐように形成された連結部（例えば基部２８１や皿ネジ２９６等）と
を有していることを特徴とする遊技機。
【０２３６】
特徴Ｃ６によれば、可動体が第１ストッパ部に当たった場合に発生した力（負荷）は、同第１ストッパに対して当接している第１当接部に伝わる。第１当接部は連結部を介して第２当接部と繋がっているため、同第１当接部に伝わった負荷の少なくとも一部は第２当接部に伝わることとなる。第２当接部は本体に当接しているため、同第２当接部に伝わった負荷の少なくとも一部は本体に伝わる。本体は第１当接部に当接しており、上述した負荷の一部を当該本体にて受けることにより、上記負荷がストッパ部等に集中することを抑制できる。
【０２３７】
また、可動体が第２ストッパ部に当たった場合に発生した力（負荷）は、同第２ストッパに対して当接している第２当接部に伝わる。第２当接部は連結部を介して第１当接部と繋がっているため、同第２当接部に伝わった負荷の少なくとも一部は第１当接部に伝わることとなる。第１当接部は本体に当接しているため、同第１当接部に伝わった負荷の少なくとも一部は本体に伝わる。本体は第２当接部に当接しており、上述した負荷の一部を当該本体にて受けることにより、上記負荷がストッパ部等に集中することを抑制できる。
【０２３８】
以上詳述したように、可動体の双方方向への移動に伴って発生する負荷を、各ストッパ部，ハウジング，本体によって分散して受けることにより、局所的に負荷が集中することを抑えることが可能となる。これにより、ストッパ部の抜け落ち等の不都合が発生することを抑制でき、動作寿命を延ばすことができる。また、上述の如く負荷を分散することにより、ストッパ部や当接部における歪み等の発生を抑えることができる。これにより、可動体とストッパとが当たった際に可動体に対して、軸線方向とは異なる向きの反力が加わることを抑制できる。故に、コイル（挿通部）の中心軸線と可動体の中心軸線との位置ばらつき（芯ずれや傾き等）を抑え、同可動体の安定したストロークを実現できる。
【０２３９】
特徴Ｃ７．前記本体は、前記ハウジングの第１当接部及び第２当接部によって前記可動体の移動方向における両側から挟まれた状態で保持されていることを特徴とするＣ６に記載の遊技機。
【０２４０】
特徴Ｃ６に示したように、伝達部を介して力を伝達させる構成においては、本体の一端に対して力が加わるタイミングと、他端に対して力が加わるタイミングとが僅かにずれると想定される。このため、仮にハウジングと本体とを結合していると、上述したタイミングのずれに起因して本体に歪みが生じやすくなると懸念される。この点、本特徴に示すように、ハウジングの第１当接部及び第２当接部によって本体を挟持する構成とすれば、上述したようなタイミングの遅れによる影響を抑えることができ、本体に対して歪み等が発生することを抑制することができる。これにより、可動体の動作に伴って発生する負荷を低減し、動作寿命の延ばすことができる。
【０２４１】
特徴Ｃ８．前記本体が前記第１当接部及び前記第２当接部によって挟まれた状態において、前記挿通部における軸線方向と異なる方向への前記本体及び前記両当接部の相対移動を規制する規制部（設置部１８７，１８８、フランジ部２２１，２４１及び嵌合部２６３，２８４）を備えていることを特徴とするＣ７に記載の遊技機。
【０２４２】
特徴Ｃ７に示したように本体を両当接部によって挟持する構成においては、両当接部と本体とが当接することにより、可動体の移動方向におけるハウジング及び駆動部の相対位置のずれを抑えることができる。係る構成においては、上記移動方向とは異なる後方への相対位置のずれを抑制するためには挟持するための力（挟持力）を高める必要がある。つまり、本体を両端側から強い力で押さえつける必要が生じる。これは、本体の歪み等を招来する要因となり得るため好ましくない。この点、本特徴に示すように、上記移動方向とは異なる方向への本体及び両当接部の相対移動を規制する規制部を設ける構成とすれば、上述した挟持力を弱めることができ、実用上好ましい構成を実現できる。
【０２４３】
特徴Ｃ９．前記ハウジングは、前記第１当接部を有する第１ハウジング構成体（第１ハウジング構成体２６０）と、前記第２当接部を有する第２ハウジング構成体（第２ハウジング構成体２８０）とを有するとともに、少なくともそれら第１ハウジング構成体及び第２ハウジング構成体が組み合わせられた状態にて互いに結合されてなり、
前記第２ハウジング構成体及び前記第２ハウジング構成体は、それら両ハウジング構成体の組み合わせ方向が前記挿通部の軸線方向と同一となるように構成されていることを特徴とするＣ７又はＣ８に記載の遊技機。
【０２４４】
ハウジング構成体を組み合わせることにより、駆動部を挟み込む構成においては、可動体の移動方向とハウジングの組み合わせ方向とを揃えることで、それら各種構成の組み立て作業の煩雑化を抑制できる。
【０２４５】
また、仮に１のハウジング構成体によって駆動部（詳しくは本体）を挟持しようとすれば、本体の寸法公差とハウジングの寸法公差とのばらつきを許容しにくくなる。つまり、上述した寸法ばらつきに起因して、各当接部と本体とを当接させることが、すなわち保持精度の確保が困難なものとなり得る。この点、ハウジング構成体を可動体の移動方向における両側から組み合わせる構成とすることにより、それら両ハウジング構成体を組み合わせる際の両ハウジング構成体の相対位置を補正することが可能となる。これにより、可動体の直進安定性を担保しつつ、上述した寸法公差等のばらつき等を許容しやすくでき、実用上好ましい構成を実現できる。
【０２４６】
特徴Ｃ１０．前記伝達部は、前記挿通部の中心軸線を挟んだ両側に配置されていることを特徴とするＣ６乃至Ｃ９いずれか１つに記載の遊技機。
【０２４７】
ストッパ部に加わる負荷を、駆動部及びハウジングの各種構成によって分散して受ける構成を採用した場合、力の伝達経路によっては、それら各種構成を歪ませるように曲げモーメントが生じる可能性がある。詳しくは、ハウジングが駆動部の外側に配置されているため、力の伝達経路が挿通部の中心軸線（すなわちストッパの配置されている軌道）から離れることとなる。このため、力の伝達に基づいて曲げモーメントが発生しやすくなると想定される。このような曲げモーメントの発生は、可動体の直進安定性を阻害する要因となり得るため好ましくない。この点、本特徴に示すように、挿通部の中心軸線を挟んだ両側にて両ハウジング構成体を結合することにより、曲げモーメントの発生を抑制しやすく、又は曲げモーメントによる影響が本体や規定部等に及びにくくすることができる。
【０２４８】
例えば、ハウジングを用いて本体を囲む構成とすることで、実用上好ましい構成を実現できる。具体的には、ハウジングによって本体を囲む構成とする場合、当該ハウジングに磁気回路を形成する機能を付与することで、上記可動体の駆動力を得やすくできるとともに、上述した負荷を好適に分散することができ、これら二つの機能を構成の煩雑化を抑え具現化できる。
【０２４９】
なお、上記各特徴に示した「前記挿通部の軸線方向」を「前記規定部によって規定された前記可動体の移動方向」と置き換えることも可能である。
【０２５０】
因みに、特徴Ｂ１乃至特徴Ｂ１１のいずれか１つを、上記特徴Ａ１乃至特徴Ａ１０に適用してもよい。また、特徴Ｃ１乃至特徴Ｃ１０のいずれか１つを、上記特徴Ａ１乃至特徴Ａ１０及び上記特徴Ｂ１乃至特徴Ｂ１１に適用してもよい。
【０２５１】
以下に、以上の特徴を適用し得る遊技機の基本構成を示す。
【０２５２】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【図面の簡単な説明】
【０２５３】
【図１】パチンコ機の構成を前方から見た斜視図。
【図２】遊技機本体の主要な構成を分解して示す分解斜視図。
【図３】内枠の構成を示す正面図。
【図４】遊技盤の構成を示す正面図。
【図５】内枠の構成を示す背面図。
【図６】裏パックユニットの構成を示す正面図。
【図７】遊技球発射装置及びそれに付随する構成を示す図３の部分拡大図。
【図８】（ａ）遊技球発射装置の構成を示す平面図、（ｂ）遊技球発射装置の構成を示す側面図。
【図９】遊技球発射装置の主要な構成を分解して示す分解斜視図。
【図１０】図８のＡ−Ａ線部分断面図。
【図１１】（ａ）第１ハウジング構成体の平面図、（ｂ）第２ハウジング構成体の平面図。
【図１２】（ａ）第１ハウジング構成体の正面図、（ｂ）第２ハウジング構成体の正面図。
【図１３】遊技球発射装置の組み付けの様子を示す概略図。
【図１４】パチンコ機の電気的構成を示すブロック図。
【図１５】遊技球発射装置の変形例を示す概略図。
【符号の説明】
【０２５４】
１０…パチンコ機、１００…遊技球発射装置、１１０…ソレノイド、１６０…可動体、１６１…シャフト、１６２…プランジャ、１７０…駆動部としてのソレノイド駆動部、１７１…コイルとしての励磁コイル、１８１…本体としてのボビン、１８７，１８８…設置部、２１０…第１規定部、２１１…第１軸受け、２１５…第１ホルダ、２２１…嵌合部としてのフランジ部、２３０…第２規定部、２３１…第２軸受け、２３５…第２ホルダ、２４１…嵌合部としてのフランジ部、２５０…ハウジング、２６０…第１ハウジング構成体、２６２…凹部としての嵌合部、２８０…第２ハウジング構成体、２８３…凹部としての嵌合部。
【図１】
2010082311.tif 000003
【図２】
2010082311.tif 000004
【図３】
2010082311.tif 000005
【図４】
2010082311.tif 000006
【図５】
2010082311.tif 000007
【図６】
2010082311.tif 000008
【図７】
2010082311.tif 000009
【図８】
2010082311.tif 000010
【図９】
2010082311.tif 000011
【図１０】
2010082311.tif 000012
【図１１】
2010082311.tif 000013
【図１２】
2010082311.tif 000014
【図１３】
2010082311.tif 000015
【図１４】
2010082311.tif 000016
【図１５】
2010082311.tif 000017